(57)【要約】【課題】ＡＶ機器などの電子機器を有機的に接続し、そのそれぞれをそのそれぞれ毎に適正に制御することが可能な電子機器制御装置を提供する。【解決手段】タイムシフト視聴を可能にするためにテレビ放送番組をハードディスク３に一旦記録して読み出し、これをＴＶセット４Ａを通じて再生するようにして視聴している使用者が移動した場合に、この使用者の移動を電子鍵カード１がかざされる送受信部２１を通じて検知し、ハードディスク上の再生位置を制御装置本体部２のメモリに記録する。電子鍵カードがかざされる送受信部２１Ａ〜２１Ｄを通じて移動者の移動先を検知し、記憶したハードディスク上の再生位置から放送信号を読み出し、移動先の電子機器に転送し、移動先の部屋で視聴していた放送番組の続きの視聴を可能にする。【選択図】　　　　図１
2004080382.tif 000002
【特許請求の範囲】
【請求項１】
相互に接続するようにされる複数の電子機器のそれぞれとの間で通信を行うための通信手段と、
前記複数の電子機器の内の１つの電子機器に対応する位置で当該１つの電子機器を通じてコンテンツを利用している使用者の移動を検知する検知手段と、
前記検知手段により前記使用者の移動が検知された場合に、前記１つの電子機器を通じて利用されている前記コンテンツの再生位置を示す情報を記憶する記憶手段と、
前記使用者の位置が前記複数の電子機器の内の１つの電子機器に対応する位置に移動したことを検知する移動先検知手段と、
前記移動先検知手段により前記使用者が移動したことが検知された場合に、前記記憶手段に記憶されている前記再生位置を示す情報に対応する位置から前記コンテンツを再生し、移動先の電子機器を通じて利用できるように、前記通信手段を通じて、前記コンテンツを再生する電子機器と、前記移動先の電子機器とを制御するようにする再生制御手段と
を備えることを特徴とする電子機器制御装置。
【請求項２】
請求項１に記載の電子機器制御装置であって、
前記コンテンツは放送信号であり、前記コンテンツを再生する電子機器においては、受信選局された前記コンテンツを記録媒体に記録するとともに、この記録処理と並行して前記記録媒体に記録した前記コンテンツを再生するようにし、さらに、前記検知手段により前記使用者の移動が検知され場合には、未再生部分の前記コンテンツを消去すること無く、前記コンテンツの前記記録媒体への記録を続行するようにしており、
前記記憶手段は、前記検知手段により前記使用者の移動が検知された時点における前記コンテンツが記録されている前記記録媒体上の読み出し位置に応じた位置を示す情報を前記再生位置を示す情報として記憶し、
前記再生制御手段は、前記記憶手段に記憶された前記再生位置を示す情報に基づく前記記録媒体上の位置から、前記コンテンツの再生を行うようにすることを特徴とする電子機器制御装置。
【請求項３】
請求項１に記載の電子機器制御装置であって、
前記検知手段は、前記複数の電子機器の内の前記１つの電子機器を通じて利用している前記コンテンツの再生一時停止が指示された場合に、前記使用者の移動が発生したと検知することを特徴とする電子機器制御装置。
【請求項４】
請求項１に記載の電子機器制御装置であって、
前記使用者が持つ前記使用者の識別情報が記録されたメモリ部から情報を読み出す読み出し手段を備え、
前記検知手段は、前記読み出し手段を通じて前記使用者のメモリ部から読み出した前記使用者の前記識別情報に基づいて、前記使用者の移動が発生したか否かを検知することを特徴とする電子機器制御装置。
【請求項５】
請求項１に記載の電子機器制御装置であって、
前記使用者が持つ前記使用者の識別情報が記録されたメモリ部から送出される前記識別情報を受信する受信手段を備え、
前記検知手段は、前記受信手段を通じて受信した前記使用者のメモリ部からの前記識別情報に基づいて、前記使用者の移動が発生したか否かを検知することを特徴とする電子機器制御装置。
【請求項６】
請求項１に記載の電子機器制御装置であって、
前記検知手段は、自機の、あるいは、前記複数の電子機器のいずれかの遠隔操作装置から前記使用者の識別情報が送信されて来た場合に、前記識別情報に基づいて、前記使用者の移動が発生したか否かを検知することを特徴とする電子機器制御装置。
【請求項７】
請求項１に記載の電子機器制御装置であって、
前記使用者が持つ前記使用者の識別情報が記録されたメモリ部から情報を読み出す読み出し手段を備え、
前記移動先検知手段は、前記読み出し手段を通じて前記使用者の前記メモリ部から読み出した前記識別情報に基づいて、前記使用者が移動先に移動したか否かを検知することを特徴とする電子機器制御装置。
【請求項８】
請求項１に記載の電子機器制御装置であって、
前記使用者が持つ前記使用者の識別情報が記録されたメモリ部から送出される前記使用者の前記識別情報を受信する受信手段を備え、
前記移動先検知手段は、前記受信手段を通じて受信した前記使用者の前記メモリ部からの前記識別情報に基づいて、前記使用者が移動先に移動したか否かを検知することを特徴とする電子機器制御装置。
【請求項９】
請求項１に記載の電子機器制御装置であって、
前記移動先検知手段は、自機の、あるいは、前記複数の電子機器のいずれかの遠隔操作装置から前記使用者の識別情報が送信されて来た場合に、前記識別情報に基づいて、前記使用者が移動先に移動したか否かを検知することを特徴とする電子機器制御装置。
【請求項１０】
相互に接続するようにされる複数の電子機器のそれぞれとの間で通信を行うことが可能な電子機器制御装置を通じて、前記複数の電子機器を制御するようにする電子機器制御方法であって、
前記電子機器制御装置においては、
前記複数の電子機器の内の１つの電子機器に対応する位置で当該１つの電子機器を通じてコンテンツを利用している使用者の移動を検知する検知工程と、
前記検知工程において、記使用者の移動を検知した場合に、前記１つの電子機器を通じて利用されている前記コンテンツの再生位置を示す情報を記憶する記憶工程と、
前記使用者の位置が前記複数の電子機器の内の１つの電子機器に対応する位置に移動したことを検知する移動先検知工程と、
前記移動先検知工程において、前記使用者が移動したことを検知した場合に、前記記憶工程において記憶した前記再生位置を示す情報に対応する位置から前記コンテンツを再生し、移動先の電子機器を通じて利用できるように、前記通信手段を通じて、前記コンテンツを再生する電子機器と、前記移動先の電子機器とを制御する再生制御工程と
を有することを特徴とする電子機器制御方法。
【請求項１１】
請求項１０に記載の電子機器制御方法であって、
前記コンテンツは放送信号であり、前記コンテンツを再生する電子機器においては、受信選局された前記コンテンツを記録媒体に記録するとともに、この記録処理と並行して前記記録媒体に記録した前記コンテンツを再生するようにし、さらに、前記検知工程において前記使用者の移動を検知した場合には、未再生部分のコンテンツを消去すること無く、前記コンテンツの前記記録媒体への記録を続行するようにしており、
前記記憶工程においては、前記検知工程において前記使用者の移動を検知した時点における前記コンテンツが記録されている前記記録媒体上の読み出し位置に応じた位置を示す情報を前記再生位置を示す情報として記憶し、
前記再生制御工程においては、前記記憶工程において記憶した前記再生位置を示す情報に基づく前記記録媒体上の位置から、前記コンテンツの再生を行うようにすることを特徴とする電子機器制御方法。
【請求項１２】
請求項１０に記載の電子機器制御方法であって、
前記検知工程においては、前記複数の電子機器の内の前記１つの電子機器を通じて利用している前記コンテンツの再生一時停止が指示された場合に、前記使用者の移動が発生したことを検知することを特徴とする電子機器制御方法。
【請求項１３】
請求項１０に記載の電子機器制御方法であって、
前記電子機器制御装置においては、
前記使用者が持つ前記使用者の識別情報が記録されたメモリ部から情報を読み出す読み出し工程を有し、
前記検知工程においては、前記読み出し工程において前記使用者のメモリ部から読み出した前記使用者の前記識別情報に基づいて、前記使用者の移動が発生したか否かを検知することを特徴とする電子機器制御方法。
【請求項１４】
請求項１０に記載の電子機器制御方法であって、
前記電子機器制御装置においては、
前記使用者が持つ前記使用者の識別情報が記録されたメモリ部から送出される前記識別情報を受信する受信工程を有し、
前記検知工程においては、前記受信工程において受信した前記使用者のメモリ部からの前記識別情報に基づいて、前記使用者の移動が発生したか否かを検知することを特徴とする電子機器制御方法。
【請求項１５】
請求項１０に記載の電子機器制御方法であって、
前記検知工程においては、自機の、あるいは、前記複数の電子機器のいずれかの遠隔操作装置から前記使用者の識別情報が送信されて来た場合に、前記識別情報に基づいて、前記使用者の移動が発生したか否かを検知することを特徴とする電子機器制御方法。
【請求項１６】
請求項１０に記載の電子機器制御方法であって、
前記使用者が持つ前記使用者の識別情報が記録されたメモリ部から情報を読み出す読み出し工程を有し、
前記移動先検知工程においては、前記読み出し工程において前記使用者の前記メモリ部から読み出した前記識別情報に基づいて、前記使用者が移動先に移動したか否かを検知することを特徴とする電子機器制御方法。
【請求項１７】
請求項１０に記載の電子機器制御方法であって、
前記使用者が持つ前記使用者の識別情報が記録されたメモリ部から送出される前記使用者の前記識別情報を受信する受信工程を有し、
前記移動先検知工程においては、前記受信工程において受信した前記使用者の前記メモリ部からの前記識別情報に基づいて、前記使用者が移動先に移動したか否かを検知することを特徴とする電子機器制御方法。
【請求項１８】
請求項１０に記載の電子機器制御方法であって、
前記移動先検知工程においては、自機の、あるいは、前記複数の電子機器のいずれかの遠隔操作装置から前記使用者の識別情報が送信されて来た場合に、前記識別情報に基づいて、前記使用者が移動先に移動したか否かを検知することを特徴とする電子機器制御方法。
【発明の詳細な説明】
【０００１】
【発明の属する技術分野】
この発明は、例えば、テレビ受像機などの家庭の各部屋に設置される電子機器を統轄して制御する電子機器制御装置および電子機器制御方法に関する。
【０００２】
【従来の技術】
テレビ受像機、ＶＴＲ（Ｖｉｄｅｏ　ｔａｐｅ　Ｒｅｃｏｒｄｅｒ）、ＤＶＤ（Ｄｉｇｉｔａｌ　ＶｅｒｓａｔｉｌｅＤｉｓｃ）の再生機や記録再生機、ハードディスクを用いた記録再生機などのいわゆるＡＶ（Ａｕｄｉｏ　Ｖｉｓｕａｌ）機器が、各家庭において複数台用いられることが珍しく無くなってきている。
【０００３】
例えば、リビングには家族兼用のＡＶ機器を設置し、各部屋には各人専用のＡＶ機器を設置することにより、どの部屋にいても、テレビ放送番組やＶＴＲ、ＤＶＤ、ハードディスクなどに記録されたコンテンツなどを再生して視聴することができる環境が整えられた家庭が多くなってきている。
【０００４】
そして、記録媒体としてハードディスクを用いた記録再生装置を有する家庭においては、放送番組をハードディスクに記録しながら、その放送番組を読み出して再生するというように、放送番組のハードディスクへの記録という処理を介在させることによって、いわゆるタイムシフト視聴を実現するようにしたものものも提供されている。
【０００５】
このタイムシフト視聴の場合には、放送番組を視聴していて、その途中で中座する場合に、所定の操作を行うことにより、記録は続行するが、再生は一時停止させ、戻ってきたときには、中座した時点に記録媒体から再生されていた放送信号からの再生を再開するようにすることにより、放送番組を途切れなく視聴できるようにすることができるものである。
【０００６】
このように、複数の部屋において種々のＡＶ機器を用いて、放送番組や映画などのコンテンツを各人の要求に応じて再生して、これを視聴できる環境を有する家庭が多くなってきている。
【０００７】
【発明が解決しようとする課題】
ところで、上述したように、１つの家庭の各部屋にＡＶ機器を設置するようにした場合であっても、各部屋のＡＶ機器は部屋ごとに単独で機能するのみであって、各部屋に設置されたＡＶ機器を有機的に接続して管理することは難しく、行われていない。
【０００８】
このため、上述したタイムシフト視聴を行う場合には、必ず放送番組を視聴していたＡＶ機器の元に戻らなければならず、例えば、リビングで視聴していた放送番組の視聴を、自分の部屋に移って続行する場合には、リビングから自分の部屋に至るまでの間の放送番組は視聴できなくなってしまう。つまり、ＡＶ機器間でのタイムシフト視聴は実現されていない。
【０００９】
また、各部屋にＡＶ機器を設けるといっても、ハードディスクの記録再生装置やＤＶＤプレーヤなどは、各部屋において常時使われるものではないで、各部屋から共用できるようにしておくことにより、各家庭において構成するＡＶシステムをより安価に構成することが可能になる。
【００１０】
以上のことにかんがみ、この発明は、ＡＶ機器などの電子機器を有機的に接続し、そのそれぞれをそのそれぞれ毎に適正に制御することが可能な電子機器制御装置および電子機器制御方法を提供することを目的とする。
【００１１】
【課題を解決するための手段】
上記課題を解決するため、請求項１に記載の発明の電子機器制御装置は、
相互に接続するようにされる複数の電子機器のそれぞれとの間で通信を行うための通信手段と、
前記複数の電子機器の内の１つの電子機器に対応する位置で当該１つの電子機器を通じてコンテンツを利用している使用者の移動を検知する検知手段と、
前記検知手段により前記使用者の移動が検知された場合に、前記１つの電子機器を通じて利用されている前記コンテンツの再生位置を示す情報を記憶する記憶手段と、
前記使用者の位置が前記複数の電子機器の内の１つの電子機器に対応する位置に移動したことを検知する移動先検知手段と、
前記移動先検知手段により前記使用者が移動したことが検知された場合に、前記記憶手段に記憶されている前記再生位置を示す情報に対応する位置から前記コンテンツを再生し、移動先の電子機器を通じて利用できるように、前記通信手段を通じて、前記コンテンツを再生する電子機器と、前記移動先の電子機器とを制御するようにする再生制御手段と
を備えることを特徴とする。
【００１２】
この請求項１に記載の発明の電子機器制御装置によれば、複数の電子機器の内の１つの電子機器を通じてコンテンツを利用している使用者が移動した場合には、これが検知手段により検知され、記憶手段により利用されているコンテンツの再生位置を示す情報が記憶される。
【００１３】
そして、移動が検知された使用者の移動先が移動先検知手段により検知された場合には、利用されていた当該コンテンツの再生位置を示す情報により示される位置からの当該コンテンツの利用が、移動先の電子機器を通じて行うことができるように各電子機器が通信手段を通じて再生制御手段により制御される。
【００１４】
これにより、複数の電子機器を有機的に結び付けて制御することができるようにされ、例えば、コンテンツの使用者が移動した場合には、利用途中のコンテンツは当該使用者の移動先の電子機器を通じて利用が続行できるようにされる。つまり、利用途中のコンテンツは、使用者に追従して移動するようにされ、どの電子機器を用いても利用することができるようにされる。
【００１５】
また、請求項２に記載の発明の電子機器制御装置は、請求項１に記載の電子機器制御装置であって、
前記コンテンツは放送信号であり、前記コンテンツを再生する電子機器においては、受信選局された前記コンテンツを記録媒体に記録するとともに、この記録処理と並行して前記記録媒体に記録した前記コンテンツを再生するようにし、さらに、前記検知手段により前記使用者の移動が検知され場合には、未再生部分の前記コンテンツを消去すること無く、前記コンテンツの前記記録媒体への記録を続行するようにしており、
前記記憶手段は、前記検知手段により前記使用者の移動が検知された時点における前記コンテンツが記録されている前記記録媒体上の読み出し位置に応じた位置を示す情報を前記再生位置を示す情報として記憶し、
前記再生制御手段は、前記記憶手段に記憶された前記再生位置を示す情報に基づく前記記録媒体上の位置から、前記コンテンツの再生を行うようにすることを特徴とする。
【００１６】
この請求項２に記載の電子機器制御装置によれば、コンテンツは放送信号であり、当該コンテンツを再生する電子機器により、いわゆるタイムシフト視聴ができるように、記録媒体に記録されるとともに、当該記録媒体から読み出されて再生するようにされている。
【００１７】
そして、当該コンテンツを利用している使用者の移動が、検知手段により検知された場合には、コンテンツである放送信号の記録媒体への記録は続行され、使用者の移動が検知された時点においての、当該記録媒体からのコンテンツの読み出し位置に応じた位置を示す情報が再生位置を示す情報として記録手段により記録される。
【００１８】
この後、移動が検知された使用者の移動先が移動先検知手段により検知された場合には、利用されていた当該コンテンツの再生位置を示す情報に基づく位置からの当該コンテンツの利用が、移動先の電子機器を通じて行うことができるようにされる。
【００１９】
これにより、複数の電子機器を有機的に結び付けて制御することができるようにされ、コンテンツの利用時において、中座し、元の電子機器に対応する位置に戻っても、また、他の電子機器に対応する位置に移動しても、コンテンツのいわゆるタイムシフト視聴ができるようにされる。
【００２０】
【発明の実施の形態】
以下、図を参照しながら、この発明による電子機器制御装置、電子機器制御方法の一実施の形態について説明する。
【００２１】
［第１の実施の形態］
［ホームネットワークシステムの概要］
図１、図２は、この発明による電子機器制御装置、電子機器制御方法が適用された制御装置本体部２と送受信部２１Ａ〜２１Ｄからなる制御装置を用いて形成したホームネットワークシステムを説明するための図である。図１、図２に示すように、この実施の形態においては、４つの部屋Ａ、Ｂ、Ｃ、Ｄのそれぞれには、テレビ受像機とスピーカからなるテレビジョンセット（以下、ＴＶセットという。）４Ａ、４Ｂ、４Ｃ、４Ｄ等が設置されている。
【００２２】
以下の説明においては、部屋Ａ、Ｂ、Ｃ、Ｄのそれぞれには、ＴＶセット４Ａ、４Ｂ、４Ｃ、４Ｄが設置されている場合として説明するが、各部屋には、パーソナルコンピュータや、他のＡＶ機器などの種々の電子機器を設置し、これらをルータ５などを通じて接続することも可能である。
【００２３】
部屋Ａには、制御装置本体部２と、地上波放送、衛星放送の受信機能を備え、地上波放送番組、衛星放送番組の記録／再生が可能な記録再生装置としてのハードディスク装置（図においては、ＨＤＤ（Ｈａｒｄ　Ｄｉｓｋ　Ｄｒｉｖｅ）と記載。）３と、ルータ５と、電話回線に接続されたＡＤＳＬ（Ａｓｙｍｍｅｔｒｉｃ　Ｄｉｇｉｔａｌ　Ｓｕｂｓｃｒｉｂｅｒ　Ｌｉｎｅ）モデム６が設置されている。
【００２４】
図１に示すように、制御装置本体部２、ハードディスク装置３、ＡＤＳＬモデム６、各部屋のＴＶセット４Ａ、４Ｂ、４Ｃ、４Ｄのそれぞれは、部屋Ａに設置されるルータ５を通じて接続されている。制御装置本体部２、ハードディスク装置３、ＡＤＳＬモデム６、各部屋のＴＶセット４Ａ、４Ｂ、４Ｃ、４Ｄのそれぞれには、装置ＩＤが付与されており、各装置間で相手先を指定したデータの送受信や全体を指定したデータの送受信ができるようにされている。
【００２５】
そして、この実施の形態においては、制御部本体装置２が、ルータ５を通じてハードディスク装置３や各部屋のＴＶセット４Ａ、４Ｂ、４Ｃ、４Ｄなどを制御し、ハードディスク装置３からのコンテンツを目的とするＴＶセットに供給するなどのことができるようにしている。
【００２６】
さらに、制御装置本体部２には、後述もするように各部屋および玄関部分外側に設置される送受信部２１Ａ、２１Ｂ、２１Ｃ、２１Ｄ、２１Ｅが接続されている。これら送受信部２１Ａ、２１Ｂ、２１Ｃ、２１Ｄ、２１Ｅのそれぞれは、電子鍵カード（ＩＣカード）１に記憶されている当該電子鍵カードの所有者の個人識別情報（以下、個人ＩＤという。）などを読み出したり、電子鍵カード１に種々の情報を書き込んだりするためのものである。
【００２７】
電子鍵カード１は、後述もするが、このホームネットワークシステムが構築された家庭の家族のそれぞれごとに与えられ、いわゆるカード鍵として用いられるとともに、各部屋の入退室の登録にも用いられるものであり、個人ＩＤなどが記録されたものである。したがって、電子鍵カードは、家族のそれぞれごとに異なるものが存在する。しかし、以下においては、説明を簡単にするため、各人が所有する電子鍵カードを電子鍵カード１として説明する。
【００２８】
そして、この実施の形態においては、図２に示すように、送受信部２１Ａは、制御装置本体部２が設置されている部屋Ａの出入口付近に設けられ、また、送受信部２１Ｂ、２１Ｃ、２１Ｄのそれぞれは、図２に示すように、部屋Ｂ、Ｃ、Ｄの出入口付近に設けられている。また、送受信部２１Ｅは、玄関の外側部分に設けられている。
【００２９】
これら送受信部２１Ａ〜２１Ｅのそれぞれと、電子鍵カード１とは、電磁誘導や電波を用いた非接触の通信により、データのやり取りを行うことができるようにしている。
【００３０】
そして、この実施の形態のホームネットワークシステムにおいては、電子鍵カード１と、送受信部２１Ａ〜２１Ｅとを通じて、電子鍵カード１の所有者個人毎の入室、退室を制御装置本体部２に登録するようにして、例えば、部屋Ａで視聴していた放送番組を部屋Ｂに移動しても番組内容が途切れることなく視聴できるようにする、いわゆる部屋を変えてのタイムシフト視聴を実現するなど、視聴対象のコンテンツ（映像情報や音声情報）が、使用者の移動に追従するようにしている。
【００３１】
［システムを構成する各電子機器の構成について］
次に、この実施の形態のホームネットワークシステムを構成する電子鍵カード１、制御装置部本体２、送受信部２１Ａ〜２１Ｅ、ハードディスク装置３、ＴＶセット４、ＴＶセットのリモコン４１のそれぞれの構成例について説明する。
【００３２】
［電子鍵カード１の構成例について］
まず、電子鍵カード１について説明する。図３は、この実施の形態で用いられる電子鍵カード１の構成例を説明するための図である。図３（Ａ）は、電子鍵カード１の表面を示し、電子鍵カード１の表面には、所有者の氏名と、ＩＤ番号が表示されている。また、図３（Ｂ）は、電子鍵カード１の内部構成例を示しており、この電子鍵カード１内には、後述する送受信部２１Ａ〜２１Ｅのリード／ライト部と通信を行うための電磁誘導用のアンテナ１０１と、制御用ＩＣ１０２とが内蔵されている。
【００３３】
制御用ＩＣ１０２内には、ＣＰＵ（Ｃｅｎｔｒａｌ　Ｐｒｏｃｅｓｓｉｎｇ　Ｕｎｉｔ）やメモリを含み、所有者の氏名、個人ＩＤの他、所有者のその他の必要な個人情報が記憶されている。この個人情報は、父親、母親、子供などの区別が可能なように構成されている。
【００３４】
また、制御用ＩＣ１０２内のメモリに、各所有者が行った送受信部２１Ａ〜２１Ｅとの通信の時刻や履歴や、各所有者の外出、帰宅の履歴などを書き込むようにされている。なお、これらの履歴情報は、制御装置本体部２の所定のメモリなどにも記憶されるものである。
【００３５】
［制御装置本体部２の構成例について］
次に、制御装置本体部２の構成例について説明する。図４は、この実施の形態の制御装置本体部２の構成例を説明するためのブロック図である。図４に示すように、この実施の形態の制御装置本体部２は、ＣＰＵバス２１１を通じて、ＣＰＵ２０１、ＲＯＭ（Ｒｅａｄ　Ｏｎｌｙ　Ｍｅｍｏｒｙ）２０２、ＲＡＭ（Ｒａｎｄｏｍ　Ａｃｃｅｓｓ　Ｍｅｍｏｒｙ）２０３、ＥＥＰＲＯＭ（Ｅｌｅｃｔｒｉｃａｌｌｙ　Ｅｒａｓａｂｌｅ　ａｎｄ　Ｐｒｏｇｒａｍｍａｂｌｅ　ＲＯＭ）２０４、時計回路２０５、ＬＣＤ（Ｌｉｑｕｉｄ　Ｃｒｙｓｔａｌ　Ｄｉｓｐｌａｙ）コントローラ２０６、キーインターフェイス（以下、キーＩ／Ｆと略称する。）２０８、ＬＡＮインターフェイス（以下、単にＬＡＮＩ／Ｆという。）２１０が接続されて構成されたものである。
【００３６】
ここで、ＲＯＭ２０２は、この実施の形態の制御装置本体部２において実行する種々のプログラム、処理に必要になる種々のデータ等が記録されたものであり、ＲＡＭ２０３は、主に各種作業の途中結果などを一時記憶する作業領域として用いられるものである。また、ＥＥＰＲＯＭ２０４は、電源が落とされても記憶情報が消滅してしまうことのないいわゆる不揮発性メモリであり、後述もするように、使用者個人情報、在室管理情報などの管理情報の他、各種のパラメータなどの情報も記録されるものである。
【００３７】
ＬＡＮＩ／Ｆ２１０は、図４に示したように、送受信部２１Ａ〜２１Ｅからのデータを制御装置本体部２が扱える形式のデータに変換するとともに、逆に、制御装置本体部２からのデータを送受信部２１Ａ〜２１Ｅのそれぞれが扱える形式のデータに変換するようにするものである。
【００３８】
なお、各送受信部２１Ａ〜２１Ｅは、後述もするように、それぞれがＣＰＵなどからなる制御部を備え、自機に割り当てられた装置ＩＤを有しており、各送受信部２１Ａ〜２１Ｅから制御装置本体部２に送信するデータには、自機の装置ＩＤを付加することにより、送受信部２１Ａ〜２１Ｅの内のどの送受信部から送信されて来たデータかを制御装置本体部２が判別することができるようにされている。
【００３９】
また、逆に、制御装置本体部２から、特定の送受信部に制御信号や種々のデータを送信する場合には、送信データには、目的とする送受信部の装置ＩＤを送信先情報として付加して送信することにより、目的とする送受信部に対してのみデータを送信することができる。もちろん、制御装置本体部２から送受信部２１Ａ〜２１Ｅのそれぞれに対して、いわゆるブロードキャストで同時に共通の送信データを送信することもできるようにされている。
【００４０】
また、図４に示すように、ＬＣＤコントローラ２０６には、ＬＣＤ２０７が接続され、ＬＣＤコントローラ２０６の制御に応じて、ＬＣＤ２０７には、ガイダンスメッセージや警告メッセージなどの種々の情報が表示するようにされる。また、キーＩ／Ｆ２０８には、キー操作部２０９が接続される。キー操作部２０９は、数字キーファンクションキーなどの複数の操作キーを備えるものであり、このキー操作部２０９とキーＩ／Ｆ２０８を通じて、制御装置本体部２は、使用者（ユーザ）からの種々の指示入力を受け付けることができるようにされている。
【００４１】
さらに、制御装置本体部２は、通信インターフェイス（以下、通信Ｉ／Ｆと略称する。）２１２を通じて、ルータ５に接続され、このルータ５を通じて、ハードディスク装置３、ＴＶセット４Ａ〜４Ｄ、ＡＤＳＬモデム６などの電子機器の内の目的とする電子機器に対して制御信号を送信して、その電子機器を制御したり、また、ルータ５を通じて、各電子機器からの情報を受信して、それを処理したりすることもできるようにされている。
【００４２】
そして、上述もしたように、この実施の形態の制御装置本体部２のＥＥＰＲＯＭ２０４には、使用者個人情報と在室管理情報とが記録するようにされている。図５は、使用者個人情報を説明するための図である。使用者個人情報は、この実施の形態のホームネットワークが形成された家庭の構成メンバー毎の個人情報を記録するようにしたものであり、いわゆる使用者個人マスターに相当するものである。
【００４３】
この実施の形態においては、使用者個人情報は、個人ＩＤ、視聴制限レベル、買物制限レベルなどの予め決められて設定される情報と、在宅／外出フラグなどの現時点の状況に応じて更新される情報とからなるものである。ここで、個人ＩＤは、上述もしたように、家族を構成する各構成メンバーの個々の識別が可能なように、各構成メンバー毎に異なるようにされたものである。
【００４４】
なお、図５に示した例の場合、個人ＩＤは、例えば１０桁の数字からなり、最初の８桁が家族に共通の家族共通ＩＤと、次の２桁が個人ごとに固有の個人用ＩＤとからなるものである。もちろん、同じ家族を構成する構成メンバー同士であっても、全く異なる数桁の数字、アルファベット、記号などの各種の文字を用いて、独自に設定することも可能である。
【００４５】
また、視聴制限レベルは、視聴可能な放送番組を制限するための情報であり、この実施の形態においては、例えば、制限なしのレベル５から幼児向け番組のみのレベル０までの６段階のいずれかに設定することができるようにされる。また、買物制限レベルは、インターネットを通じて買物を行う場合の買物可能金額を制限するものであり、この実施の形態においては、例えば、制限なしのレベル５から買物不可のレベル０までの６段階のいずれかに設定することができるようにされる。
【００４６】
その他、年齢、暗証番号など、家族を構成する構成メンバーのそれぞれについての種々の情報についても、使用者個人情報に予め登録することができるようにされる。
【００４７】
また、在宅／外出フラグは、家族の構成メンバーが在宅か外出かを把握しておくためのフラグ情報である。在宅／外出フラグは、玄関の外側部分に設けられた送受信部２１Ｅに、各使用者の電子鍵カード１をかざすことにより、送受信部２１Ｅにより読み出された個人ＩＤが制御装置本体部２に送信され、これに基づいて更新される。
【００４８】
また、ＥＥＰＲＯＭ２０４には、在室管理情報も形成される。図６は、在室管理情報を説明するための図である。在室管理情報は、在宅者が現在どの部屋にいるのかを管理する情報である。この実施の形態においては、部屋Ａ、Ｂ、Ｃ、Ｄの４つがある場合の例であり、各部屋に入室する場合に送受信部２１Ａ〜２１Ｄに電子鍵カード１をかざすことにより、在室の更新がされ、また、各部屋から退出する場合に送受信部に電子鍵カード１をかざすことにより、退室の更新がされる。
【００４９】
なお、入室か退室かは、送受信部２１Ａ〜２１Ｄを通じて電子鍵カード１から読み取った情報と、図６に示した在室管理情報とのマッチチングを行うことにより、無ければ入室であり、あれば退出であると判断することが可能である。
【００５０】
また、図６に示した例の場合には、家族内の各個人を特定することが可能な個人ＩＤの下２桁の数字を用い、各人がどの部屋にいるかを管理している。この図６に示した例の場合、部屋Ａには、個人ＩＤがＸＸＸＸＸＸＸＸ０１の人（父）と個人ＩＤがＸＸＸＸＸＸＸＸ０４の人（子供２）とが在室していることが示されている。また、部屋Ｃには、個人ＩＤ＝ＸＸＸＸＸＸＸＸ０３の人（子供１）が、また、部屋Ｄには、個人ＩＤ＝ＸＸＸＸＸＸＸＸ０２の人（母）が在室していることが示されている。
【００５１】
なお、在宅はしているものの、各部屋の送受信部２１Ａ〜２１Ｄに電子鍵カード１をかざしていない場合には、例えば、その他の欄に個人ＩＤが書き込まれ、どの部屋にも在室していないとされている家族がいることも把握するようにされる。これは、使用者個人情報の在宅／外出フラグが在宅の状態になっている個人の個人ＩＤと、在宅管理情報の個人ＩＤとのマッチングをかけることによっても検出することができる。
【００５２】
また、制御装置本体部２は、現在の各部屋の電子機器の動作状態についても把握し、管理することができるものである。例えば、制御装置本体部２は、ルータ５を通じて各部屋に設置されたＴＶセット４Ａから４Ｄやハードディスク装置３との間で通信を行うことにより、各電子機器の状態を知り、これを管理することができるものである。
【００５３】
そして、詳しくは、後述もするように、制御装置本体部２は、各家族それぞれの入室、退室を検知し、ハードディスク装置３、ＴＶセット４Ａ〜４Ｄの状態に応じて、ハードディスク装置３と目的とするＴＶセットとをルータを通じて制御することにより、通常の同一機器においてのタイムシフト視聴の他、ＴＶセットを変えてのタイムシフト視聴をもできるようにしている。
【００５４】
［送受信部２１Ａ〜２１Ｅの構成例について］
次に、電子鍵カード１からの情報を読み取ることにより、家族の外出と帰宅、各部屋への入室と退室とを検知できるようにするための送受信部２１Ａ〜２１Ｅの構成例について説明する。
【００５５】
図７は、送受信部２１Ａ〜２１Ｄの外観を説明するための図であり、図８は、送受信部２１Ａ〜２１Ｄの構成を説明するためのブロック図である。図７に示すように、フロントパネル面ＦＰに、データの読み取り状態などを使用者に通知するための複数個のＬＥＤ（Ｌｉｇｈｔ　Ｅｍｉｔｔｉｎｇ　Ｄｉｏｄｅ）が設けられたＬＥＤ部６１と、リード／ライト部６２とが設けられたものである。
【００５６】
送受信部２１Ａ〜２１Ｅのフロントパネル面ＦＰは、電子鍵カード１と同様に長方形状とされるが、その大きさは電子鍵カード１よりも若干大ききなるようにされ、電子鍵カード１との間の通信を信頼性高く行うことができるようにしている。
【００５７】
送受信部２１Ａ〜２１Ｅのそれぞれは、図８に示すように、ＣＰＵ５１、ＲＯＭ５２、ＲＡＭ５３が、ＣＰＵバス５４を通じて接続されてマイクロコンピュータの構成とされた制御部５０を備え、この制御部５０に対して、時計回路５６、ドアロック機構駆動部５７、電灯制御部５８、ＬＥＤ駆動部６０が接続されている。
【００５８】
ここで、ＲＯＭ５２は、送受信部２１Ａ〜２１Ｅの制御部５０において実行されるプログラムや処理に必要なデータ、各送受信部２１Ａ〜２１Ｅのそれぞれに固有の装置ＩＤなどが記憶されたものである。また、ＲＡＭ５３は、主に作業の途中結果などを一時記憶しておくための作業領域として用いられるものである。なお、ＲＯＭ５２やＲＡＭ５３の他に、ＥＥＰＲＯＭなどの不揮発性メモリを設け、これに各送受信部２１Ａ〜２１Ｅに固有の装置ＩＤや設定変更可能なパラメータなどを記憶させるようにしてもよい。
【００５９】
さらに、制御部５０に対しては、Ｉ／Ｆ５５を通じてリード／ライト部６２が接続されている。リード／ライト部６２は、電磁誘導の作用により、これにかざされた電子鍵カード１に記憶されているデータを読み出して、制御部５０に供給したり、また、制御部５０からのデータを電子鍵カード１に書き込んだりすることができるものである。
【００６０】
また、制御部５０は、Ｉ／Ｆ５９を通じて、制御装置本体部２との間でデータの送受を行うことができるとともに、ＬＥＤ駆動部６０を制御することにより、ＬＥＤ６１の点等、消灯、点滅などを複数のＬＥＤごとに制御することができるようにしている。
【００６１】
なお、この実施の形態において、ロック機構駆動部５７は、玄関部分の屋外に設置された送受信部２１Ｅにのみ設けられており、後述もするように、認証が確認された場合に、自動的にロック機構を解除することができるようにしている。
【００６２】
もちろん、屋内の各部屋の出入口部分にロック機構を設け、屋内の各部屋の出入口部分の送受信部２１Ａ〜２１Ｄにもロック機構駆動部５７を設けるとともに、屋内の各部屋の出入口部分の外側にもロック機構駆動部５７を備えた送受信部を設けることにより、各部屋の入退室時において入退出の制限を行うようにすることもできる。
【００６３】
そして、玄関先の送受信部２１Ｅのリード／ライト部６２に、電子鍵カード１がかざされると、リード／ライト部６２は、電子鍵カード１に記録されている個人ＩＤなどのデータを読み出し、Ｉ／Ｆ５５を通じて制御部５０に供給するとともに、時計回路５６から取得され制御部５０から供給される現在日付情報や現在時刻情報を履歴として電子鍵カード１のメモリの決められた記憶領域に書き込む。
【００６４】
そして、制御部５０は、Ｉ／Ｆ５８を通じて、自機の装置ＩＤとリード／ライト部６２からの個人ＩＤデータとを制御装置本体部２に供給する。これに対応し、制御装置本体部２は、送受信部２１Ｅからのデータに基づいて、送受信部２１Ｅのリード／ライト部６２にかざされた電子鍵カード１の所有者は、制御装置本体部２に予め登録された正当な所有者か否かを判断し、その判断結果を、送信先を送受信部２１Ｅとして送信してくるので、これを送受信部２１Ｅは、Ｉ／Ｆ５９を通じて取り込む。
【００６５】
送受信部２１Ｅの制御部５０は、リード／ライト部６２に電子鍵カード１をかざした人が正当な所有者であるとの判別結果を制御装置本体部２から得た場合には、ドアロック機構駆動部５７を制御し、ドアロックを解除して、当該所有者の屋内への立ち入りを許可するようにする。
【００６６】
また、この場合、制御部５０は、ＲＡＭ５３に予め設定された電灯点灯設定時間と時計回路５７の現在時刻とを比較し、現在時刻が電灯点灯設定時間内であるときには、電灯制御部５８を制御し、少なくとも、立ち入りが許可された玄関部分の電灯を自動点灯させる。なお、電灯を点灯させた場合、一定時間経過後に自動消灯させるようにしたり、使用者の電灯スイッチの操作を待って消灯させるようにしたりすることができる。
【００６７】
また、制御部５０は、電子鍵カード１からデータが読み出せた場合、あるいは、読み出せなかった場合をＬＥＤ駆動部６０を制御して、ＬＥＤ６１の点灯、消灯、点滅などにより通知したり、また、制御装置本体部２からの正当な所有者か否かの判別結果などをＬＥＤ駆動部６０を制御して、ＬＥＤ６１の点灯、消灯、点滅により通知したりすることもできるようにされている。
【００６８】
なお、制御装置本体部２においては、送受信部２１Ｅからの個人ＩＤに基づいて、誰が帰宅したかを把握し、図５に示した使用者個人情報の在宅／外出フラグを更新して、家族それぞれの在宅／外出を管理することができるようにしている。
【００６９】
一方、玄関部分の送受信部２１Ｅ以外の送受信部２１Ａ〜２１Ｄのそれぞれは、自己のリード／ライト部６２に電子鍵カード１がかざされると、前述もしたように、電磁誘導の作用により、かざされた電子鍵カード１から個人ＩＤなどの必要な情報を読み出し、これに自機の装置ＩＤを付加してＩ／Ｆ５９を通じて制御装置本体部２に送信することができるものである。
【００７０】
これにより、制御装置本体部２においては、誰がどの部屋に入室したか、あるいは、退室したかを検出することができ、これが図６を用いて説明した在室管理情報に更新されて、管理することができるようにされる。
【００７１】
また、この場合にも、制御部５０は、制御装置本体部２のＥＥＰＲＯＭ２０４に形成されている在室管理情報に基づいて、同じ部屋に入室者が存在しない場合であって、ＲＡＭ５３に予め設定された電灯点灯設定時刻と時計回路５７の現在時刻とを比較し、現在時刻が電灯点灯設定時刻以降であり、かつ、入室した部屋の電灯が点灯されていない場合に、電灯制御部５８を制御して、入室した部屋の電灯を点灯させるようにする。
【００７２】
また、退室時において、制御部５０は、制御装置本体部２のＥＥＰＲＯＭ２０４に形成されている在室管理情報に基づいて、同じ部屋に入室者が存在しない場合であって、予め設定され、ＲＡＭ５３に記憶された電灯点灯設定時刻と時計回路５７の現在時刻とを比較し、現在時刻が電灯点灯設定時刻以降であり、かつ、入室した部屋の電灯が点灯されている場合に、電灯制御部５８を制御して、退室する部屋の電灯を消灯させるようにすることもできる。もちろん、使用者の電灯スイッチの操作を待って電灯の点灯、消灯をさせることも可能である。
【００７３】
このように、送受信部２１Ａ〜２１Ｅのそれぞれは、リード／ライト部６２にかざされた電子鍵カード１の記録データを読み出して、制御装置本体部２に送信し、制御装置本体部２において、上述もしたように、誰が帰宅し、誰がどの部屋にいるかを正確に管理することができるようにしている。
【００７４】
なお、外出したか否かは、例えば、玄関内部にも送受信部を設け、外出時に玄関内部に設けられた送受信部に自己の電子鍵カード１をかざすことにより、外出登録を行うようにしたり、また、外出時にも、玄関外部に設けられる送受信部２１Ｅに電子鍵カード１をかざすことにより、外出登録を行うようにしたりすることができる。
【００７５】
そして、後者の場合には、例えば、内部からドアのロックが手動で外された場合には、外出時と判断し、送受信部２１Ｅにかざされた電子鍵カード１からの個人ＩＤを外出登録に用いるようにし、ロック解除などの帰宅時の帰宅登録には用いないようにすることにより、外出登録を行うことができる。また、この場合には、ロック機構は自動ロックとしたり、あるいは、電子鍵カード１の個人ＩＤを用いた認証の都度、ロック解除とロック施錠とを切り換えるようにしたりしてもよい。
【００７６】
以下に説明する実施の形態においては、後者の場合の例であり、すなわち、玄関外部に設けられた送受信部２１Ｅを外出登録と帰宅登録とで兼用する場合であって、ドアロックは、認証後にドアロックを解除するが、施錠は自動ロックである場合として説明する。
【００７７】
［ハードディスク装置３の構成例について］
次に、図１に示したように、ＴＶセット４や、ルータ５を通じて各部屋のＴＶセット４Ｂ〜４Ｄにコンテンツの提供が可能なハードディスク装置３の構成例について説明する。
【００７８】
図９は、この実施の形態のハードディスク装置３の構成例を説明するためのブロック図である。図９において、ＣＰＵ３４０は、ホストバスを介し、ＲＯＭ３４１、ＲＡＭ３４２、ＥＥＰＲＯＭ３４３を必要に応じアクセスし、このハードディスク装置３の全体の制御を行う。
【００７９】
また、図９に示すように、ホストバスには、赤外線のリモコン信号の受光部３４４が接続されている。受光部３４４は、リモコン３１からの赤外線のリモコン信号を受光し、これを電気信号に変換して、ＣＰＵ３４０に供給することができるようにされている。これにより、ＣＰＵ３４０は、リモコン３１を通じて供給されるユーザからの指示に応じた処理を行うように各部を制御したり、種々の設定を例えばＥＥＰＲＯＭ３４３に対して行ったりすることができるようにされている。
【００８０】
なお、ＲＯＭ３４１は、この実施の形態のハードディスク装置３において実行する各種のプログラムや処理に必要となる各種のデータが記録されたものであり、ＲＡＭ３４２は、処理の途中結果を一時記録するなど、主に作業領域として用いられるものである。また、ＥＥＰＲＯＭ３４３は、いわゆる不揮発性メモリであり、電源が落とされても保持しておく必要のあるデータ、例えば、各種の設定データなどを記憶保持しておくためのものである。
【００８１】
そして、図９に示すこの実施の形態のハードディスク装置３は、デジタル入力端部として、デジタルＢＳ／ＣＳチューナー３０１と、デジタル入力／出力端子３０２とを備え、また、アナログ入力端部として、地上波チューナー３０４と、アナログオーディオ入力端子３０５およびアナログビデオ入力端子３０６とを備えている。
【００８２】
また、デジタル出力端部として、デジタル入力／出力端子３０２が用いられるようにされ、アナログ出力端部として、アナログオーディオ出力端子３２２およびアナログビデオ出力端子３２７を備えている。さらに、通信用接続端子３３０を備え、例えば、インターネットなどの通信ネットワークを通じて各種のデータの送受を行うことができるようにされている。
【００８３】
そして、この図９に示すハードディスク装置３は、上述したデジタル入力端部を通じて受け付けたデジタルビデオ信号やデジタルオーディオ信号を、ハードディスク３１８に記録したり、デジタル出力端部を通じて出力したり、また、アナログ信号に変換して出力したりすることができるものである。
【００８４】
さらに、この図９に示すハードディスク装置３は、上述したアナログ入力端部を通じて受け付けたアナログオーディオ信号やアナログビデオ信号を、アナログ出力端部を通じて出力したり、デジタル信号に変換して、ハードディスク３１８に記録したり、デジタル出力端部を通じて出力したりすることができるものである。
【００８５】
また、上述した通信接続端子３３０を通じて受け付けたデータをハードディスク３１８に記録したり、デジタル出力したり、また、受け付けたデータが、ビデオデータやオーディオデータである場合には、これらをアナログ信号に変換して、アナログ出力端部を通じて出力することもできるようにされている。
【００８６】
［デジタル入力の利用について］
上述した各入力端部を通じて情報の供給を受ける場合のこの実施の形態のハードディスク装置３の動作について説明する。まず、デジタルＢＳ／ＣＳチューナー３０１を通じて、ＢＳデジタル放送信号、ＣＳデジタル放送信号を受信し、これをハードディスク３１８に記録したり、アナログ出力したりする場合の動作について説明する。
【００８７】
デジタルＢＳ／ＣＳチューナー３０１には、図示しないが、衛星からのデジタル放送信号を受信するためのパラボナアンテナが接続されている。そして、デジタルＢＳ／ＣＳチューナー３０１は、ＣＰＵ３４０から供給されるユーザからの選局指示に応じた選局制御信号に基づいて、目的とするデジタル放送信号を受信、選局し、この受信、選局したデジタル放送信号を多重／分離回路３１６に供給する。
【００８８】
デジタル放送信号は、番組伝送路としてのチャンネル毎に、ＰＳＩ（Ｐｒｏｇｒａｍ　Ｓｐｅｃｉｆｉｃ　Ｉｎｆｏｒｍａｔｉｏｎ）と呼ばれる選局情報や電子番組案内表を形成するためのＥＰＧ（Ｅｌｅｃｔｒｏｎｉｃ　Ｐｒｏｇｒａｍ　Ｇｕｉｄｅ）データなどの種々の制御データと共に、放送番組を構成する画像データ（ビデオデータ）や音声データ（オーディオデータ）、その他の種々のデータがパケット化され、多重化されて送信されるものであり、いわゆるＴＳ（Ｔｒａｎｓｐｏｒｔ　Ｓｔｒｅａｍ）信号の形式とされたものである。
【００８９】
各パケットのそれぞれには、識別子（ＩＤ）が付加されており、この識別子によって、ＰＳＩデータやＥＰＧデータを抽出したり、同じ番組を構成する画像パケットや音声パケットを抽出したりすることができるようにされている。
【００９０】
多重／分離回路３１６は、デジタルＢＳ／ＣＳチューナー３０１からのＴＳ信号からＰＳＩやＥＰＧデータを抽出し、これをＣＰＵ３４０に供給して、番組の選択を可能にすると共に、電子番組案内表を形成して、これをユーザからの指示に応じて表示するように出力し、電子番組案内表を通じての番組選択や録画予約などを可能にする。
【００９１】
また、多重／分離回路３１６は、選択された番組の記録が指示されている場合には、デジタルＢＳ／ＣＳチューナー３０１からのＴＳ信号からユーザにより選択された目的とする番組のビデオパケットとオーディオパケットとを抽出して、これらと必要な制御データとからなる新たなＴＳ信号を形成し、これをバッファ制御回路３１７を通じてハードディスク３１８に記録するようにする。
【００９２】
同時に、多重／分離回路部３１６は、デジタルＢＳ／ＣＳチューナー３０１からのＴＳ信号から抽出された目的とする番組のビデオパケットからビデオＥＳ（Ｅｌｅｍｅｎｔａｒｙ　Ｓｔｒｅａｍ）を形成し、これをＭＰＥＧ（Ｍｏｖｉｎｇ　Ｐｉｃｔｕｒｅ　Ｅｘｐｅｒｔｓ　Ｇｒｏｕｐ）ビデオデコーダ３２３に供給し、また、オーディオパケットからオーディオＥＳ（Ｅｌｅｍｅｎｔａｒｙ　Ｓｔｒｅａｍ）を形成して、これをＭＰＥＧオーディオデコーダ３１９に供給する。
【００９３】
ＭＰＥＧオーディオデコーダ３１９は、これに供給されたオーディオＥＳを復号化処理し、ベースバンドのオーディオデータを得て、これをポスト音声信号処理回路３２０に供給する。ＭＰＥＧビデオデコーダ３２３は、これに供給されたビデオＥＳを復号化処理して、ベースバンドのビデオデータを得て、これをポスト映像信号処理回路３２４に供給する。
【００９４】
ポスト映像信号処理回路３２４は、ＭＰＥＧビデオデコーダ３２３からのビデオデータと、後述するプリ映像信号処理回路３１４からのビデオデータとの切り換えや、画面合成やフィルタ処理などを行い、処理後のビデオデータをＯＳＤ（Ｏｎ　Ｓｃｒｅｅｎ　Ｄｉｓｐｌａｙ）回路３２５に供給する。
【００９５】
ＯＳＤ回路３２５は、画面表示用のグラフィックッスや文字データの生成を行い、ＯＳＤ回路３２４に供給されたビデオデータに対して、生成したグラフィックスや文字データを重ねたり、部分的に表示させるようにしたりする等の処理を施し、処理後のビデオデータをＮＴＳＣエンコーダ３２５に供給する。
【００９６】
ＮＴＳＣエンコーダ３２５は、これに入力されたビデオデータ（コンポーネントデジタル信号）をＹＣ信号に変換した後、Ｄ／Ａ変換を行い、アナログのコンポジットビデオ信号Ｃとセパレートビデオ信号Ｓを生成して、そのそれぞれをアナログビデオ信号の出力端子３２７を通じて出力するようにする。
【００９７】
一方、ポスト音声信号処理回路３２０では、ＭＰＥＧオーディオデコーダ３１９からのオーディオデータと、プリ音声信号処理回路３０９からのオーディオデータとの切り換えや、フィルタ処理、フェード処理、話速変換処理等を行い、処理後のオーディオデータを音声Ｄ／Ａ変換器３２１に供給する。音声Ｄ／Ａ変換器３２１は、これに供給されたオーディオデータをアナログオーディオ信号に変換し、これをアナログオーディオ信号の出力端子３２２を通じて出力する。
【００９８】
なお、アナログオーディオ出力端子３２２、アナログビデオ出力端子３２７の後段には、例えば、ＴＶセット４Ａが接続され、アナログオーディオ出力端子３２２を通じて出力されたアナログオーディオ信号に応じた音声がＴＶセット４Ａのスピーカから放音するようにされ、アナログビデオ出力端子３２７を通じて出力されたアナログビデオ信号に応じた画像がＴＶセット４Ａの表示画面に表示するようにされる。
【００９９】
このように、この実施の形態のハードディスク装置においては、デジタルＢＳ／ＣＳチューナー３０１を通じて受信、選局したデジタル放送信号から目的とする番組のビデオデータとオーディオデータとを抽出し、これをハードディスク３１８に記録すると共に、同時にアナログビデオ信号とアナログオーディオ信号とを形成して、これを出力することができるようにされる。つまり、デジタル放送信号として提供される目的とする番組をハードディスク３１８に記録しながら、その番組を視聴することができるようにされている。
【０１００】
また、上述したように、多重／分離回路３１６において新たに形成するようにしたＴＳ信号をデジタルインターフェイス回路３０３、デジタル入出力端子３０２、および、ルータ５を通じて、他の部屋のＴＶセット４Ａ〜４Ｄや他の記録装置やパーソナルコンピュータなどの外部機器に対して供給することもできるようにされている。この場合、デジタルインターフェイス回路３０３においては、これに供給されたデジタル信号を外部の機器に適合する形式のデジタル信号に変換し、これを出力する。
【０１０１】
また、この逆に、例えば、外部機器などからＩＥＥＥ１３９４のようなデジタルインターフェイスを介して供給されるデジタル信号をデジタル入力／出力端子３０２を通じて受け付け、これを記録媒体３１８に記録したり、アナログビデオ信号、アナログオーディオ信号を形成して、出力したりすることもできるようにされている。
【０１０２】
すなわち、デジタル入力／出力端子３０２を通じて供給を受けたデジタル信号は、デジタルインターフェイス回路３０３に供給される。デジタルインターフェイス回路３０３は、これに供給されたデジタル信号について、この実施の形態の画像処理装置が用いている方式に適合するようにフォーマット変換等の処理を施し、ＴＳ信号を生成して、これを多重／分離回路３１６に供給する。
【０１０３】
多重／分離回路３１６では、更に制御信号等の解析や生成を行い、ハードディスク３１８に記録する形式のＴＳ信号を形成し、これを前述もしたように、バッファ制御回路３１７を通じてハードディスク３１８に記録することができるようにしている。
【０１０４】
また、多重／分離回路３１６は、デジタルインターフェイス回路３０３から供給されたＴＳ信号からビデオＥＳ、オーディオＥＳを形成し、ＭＰＥＧビデオデコーダ３２３、ＭＰＥＧオーディオデコーダ３１９に供給することにより、上述もしたようにアナログビデオ信号、アナログオーディオ信号を形成し、これらを出力することもできるようにされている。
【０１０５】
［アナログ入力の利用について］
次に、地上波チューナー３０４、アナログオーディオ入力端子３０５、アナログビデオ入力端子３０６を通じて、アナログ信号の入力を受け付け、これをハードディスク３１８に記録したり、アナログ出力したりする場合の動作について説明する。
【０１０６】
地上波チューナー３０４は、地上波のアナログ放送信号を受信、選局して復調し、アナログビデオ信号（コンポジット信号）とアナログオーディオ信号と得て、これらを入力切換回路３０７に供給する。同様に、外部からのコンポジットビデオ信号Ｃとオーディオ信号も入力切換回路３０７に供給される。
【０１０７】
入力切換回路３０７は、ＣＰＵ３４０からの制御信号に従い、目的とする信号を選択して出力する。すなわち、入力切換回路３０７は、地上波チューナー３０４からのアナログビデオ信号とアナログオーディオ信号とを出力するか、アナログオーディオ入力端子３０５、アナログビデオ入力端子３０６からのアナログオーディオ信号とアナログビデオ信号とを出力するかを切り換えるものである。
【０１０８】
入力切換回路３０７から出力される信号のうち、アナログオーディオ信号はＡ／Ｄ変換器３０８に供給され、また、アナログビデオ信号（コンポジット信号）はＹＣ分離回路３１１に供給される。ＹＣ分離回路３１１は、これに供給されたアナログビデオ信号をＹＣ分離、すなわち、輝度信号Ｙと色差信号Ｃとに分離し、これらを入力切換回路３１２に供給する。この入力切換回路３１２には、外部からのセパレートビデオ信号Ｓも供給するようにされている。
【０１０９】
入力切換回路３１２は、ＣＰＵ３４０からの指示に従い、外部からのセパレートビデオ信号ＳとＹＣ分離回路３１１からのビデオ信号とのうちの一方を選択し、選択したビデオ信号をＮＴＳＣ（Ｎａｔｉｏｎａｌ　Ｔｅｌｅｖｉｓｉｏｎ　Ｓｙｓｔｅｍ　Ｃｏｍｍｉｔｔｅｅ）デコーダ回路３１３に供給する。
【０１１０】
ＮＴＳＣデコーダ回路３１３は、これに入力されたアナログビデオ信号に対して、Ａ／Ｄ変換、クロマデコード等の処理を施し、デジタルコンポーネントビデオデータ（ビデオデータ）に変換し、これをプリ映像信号処理回路３１４に供給する。また、ＮＴＳＣデコーダ３１３は、入力されたビデオ信号の水平同期信号を基準に生成したクロックと、同期分離して得た水平同期信号、垂直同期信号、フィールド判別信号を同期制御回路３２８に供給する。
【０１１１】
同期制御回路３２８は、これに供給された各信号を基準とし、各回路ブロックにおいて必要なタイミングを提供するクロック信号、同期信号を生成し、これを各回路ブロックに供給する。
【０１１２】
また、プリ映像信号処理回路３１４は、入力されたビデオデータにプリフィルタ等の各種映像信号処理を施し、これをＭＰＥＧビデオエンコーダ３１５とポスト映像信号処理回路３２４に供給する。
【０１１３】
ＭＰＥＧビデオエンコーダ３１５は、プリ映像信号処理回路３１４からの画像データにブロックＤＣＴ（Ｄｉｓｃｒｅｔｅ　Ｃｏｓｉｎｅ　Ｔｒａｎｓｆｏｒｍ：離散コサイン変換）等の符号化処理を施し、ビデオＥＳを生成し、多重／分離回路３１６に供給する。
【０１１４】
一方、入力切換回路３０７で選択されたオーディオ信号はＡ／Ｄ変換器３０８にて、デジタルオーディオ信号（オーディオデータ）に変換されたのち、プリ音声信号処理回路３０９に供給される。プリ音声信号処理回路３０９は、これに供給されたオーディオデータに対してフィルタ処理を施し、これをＭＰＥＧオーディオエンコーダ３１０に供給する。
【０１１５】
ＭＰＥＧオーディオエンコーダ３１０は、これに供給されたオーディオデータをＭＰＥＧフォーマットに従い圧縮した後、オーディオＥＳを生成し、ビデオデータの場合と同様に、多重／分離回路３１６に供給する。
【０１１６】
多重／分離回路３１６は、記録時においては、ＭＰＥＧビデオエンコーダ３１５からのビデオＥＳとＭＰＥＧオーディオエンコーダ３１０からのオーディオＥＳと各種制御信号との多重化処理を行う。つまり、記録時における多重／分離回路３１６は、これに入力されたＭＰＥＧビデオＥＳと、ＭＰＥＧオーディオＥＳとを、各種制御信号と合わせ、多重化処理を施し、例えばＭＰＥＧシステムのＴＳ信号を生成する。ここで生成されたＴＳ信号が、バッファ制御回路３１７を通じて記録媒体３１８に記録される。
【０１１７】
また、図１に示すように、プリ音声信号処理回路３０９からのオーディオデータは、ＭＰＥＧオーディオエンコーダ３１０に供給されると共に、ポスト音声信号処理回路３２０にも供給され、また、プリ映像信号処理回路３１４からのビデオデータは、ＭＰＥＧビデオエンコーダ３１５に供給されると共に、ポスト映像信号処理回路３２４にも供給するようにされている。
【０１１８】
そして、ポスト音声信号処理回路３２０、Ｄ／Ａ変換器３２１の機能により、アナログオーディオ信号を形成し、これを出力すると共に、ポスト映像信号処理回路３２４、ＯＳＤ回路３２５、ＮＴＳＣエンコーダ３２６の機能により、アナログビデオ信号を形成し、これを出力することができるようにされている。
【０１１９】
すなわち、地上波チューナー３０４、アナログオーディオ入力端子３０５、アナログビデオ入力端子３０６を通じて供給されたアナログ信号をデジタル信号に変換してこれを記録媒体３１８に記録する処理と平行して、この記録対象のビデオデータとオーディオデータとを再生して出力することができるようにされている。
【０１２０】
もちろん、デジタル信号に変換された地上波チューナー３０４、アナログオーディオ入力端子３０５、アナログビデオ入力端子３０６からの信号を、デジタルインターフェイス３０３、デジタル入力／出力端子３０２、および、ルータ５を通じて、他の部屋のＴＶセットなどに供給することもできるようにされる。
【０１２１】
［ハードディスク３１８からの再生について］
次に、上述のようにしてハードディスク３１８に記録されたビデオ信号とオーディオ信号とを再生する場合のこの実施の形態のハードディスク装置３の動作について説明する。ＣＰＵ３４０の制御により、記録媒体３１８から再生しようとする目的とするＴＳ信号が読み出され、これがバッファ制御回路３１７を通じて多重／分離回路３１６に供給される。
【０１２２】
再生時において、多重／分離回路３１６は、記録媒体３１８から読み出されたＴＳ信号から、ビデオＥＳ、オーディオＥＳの分離処理を行い、分離したオーディオＥＳをＭＰＥＧオーディオデコーダ３１９に供給し、ビデオＥＳをＭＰＥＧビデオデコーダ３２３に供給する。
【０１２３】
ＭＰＥＧオーディオデコーダ３１９以降の各回路部の処理、および、ＭＰＥＧビデオデコーダ３２３以降の各回路部の処理は、デジタル入力を用いる場合において説明した通りである。すなわち、ＭＰＥＧオーディオデコーダ３１９に供給されたオーディオＥＳからアナログオーディオ信号が形成されて出力され、ＭＰＥＧビデオデコーダ３２３に供給されたビデオＥＳからアナログビデオ信号が形成されて出力される。
【０１２４】
これにより、アナログオーディオ出力端子３２２、アナログビデオ出力端子３２７の後段に接続された例えばＴＶセット４Ａを通じて、ハードディスク３１８から読み出されたビデオデータ、オーディオデータに応じた画像、音声を出力し、これを視聴することができるようにされる。
【０１２５】
もちろん、ハードディスク３１８から読み出されたデジタルビデオ信号、デジタルオーディオ信号をデジタルインターフェイス３０３、デジタル入力／出力端子３０２、および、ルータ５を通じて、他の部屋のＴＶセット４Ａ〜４Ｄなどにも供給する事もできるようにされている。
【０１２６】
［通信接続端子、通信インターフェイスの利用について］
また、上述もしたように、この実施の形態のハードディスク装置３は、通信インターフェイス３２９、通信接続端子３３０を備え、例えば、電話回線などを経由してインターネットなどのネットワークに接続し、そのネットワークを通じて、各種のデータを取得したり、また、各種のデータをネットワークに送出したりすることができるものである。
【０１２７】
ここで、送受可能な各種のデータとしては、ビデオデータやオーディオデータの他、各種のプログラムやテキストデータなどの送受も可能である。ビデオデータやオーディオデータの場合には、多重／分離回路３１６を通じて、記録媒体３１８に記録することができる。
【０１２８】
また、多重／分離回路３１６と、ＭＰＥＧオーディオデコーダ３１９、ポスト音声信号処理回路３２０、Ｄ／Ａ変換器３２１、オーディオ出力端子３２２からなるオーディオ信号の再生系と、ＭＰＥＧビデオデコーダ３２３、ポスト映像信号処理回路３２４、ＯＳＤ３２５、ＮＴＳＣエンコーダ３２６、ビデオ出力端子３２７からなるビデオ信号の再生系を用いることによって、通信ネットワークを通じて取得したビデオデータやオーディオデータを再生し、これらを利用することもできるようにされる。
【０１２９】
また、通信インターフェイス３２９、通信接続端子３３０を通じて取得したビデオデータやオーディオデータをデジタルインターフェイス３０３、デジタル入力／出力端子３０２、および、ルータ５を通じて、他の部屋のＴＶセット４Ｂ〜４Ｄなどにも供給することもできるようにされている。
【０１３０】
さらに、この実施の形態のハードディスク装置３において用いられるプログラムや制御データなどの提供をネットワークを通じて受けて、これをＥＥＰＲＯＭ３４３などに記録保持し、必要に応じてこれを利用するようにするなどのこともできる。
【０１３１】
例えば、通信ネットワークを通じて、この実施の形態のハードディスク装置３の機能をアップさせるようにしたり、ＥＰＧデータなどを事前に得て、予め電子番組案内表を作成したりしておくなどのこができるようにされる。
【０１３２】
なお、この実施の形態においては、ビデオデータとオーディオデータとは、ＭＰＥＧ方式の圧縮を行うようにしているが、他の圧縮方式を用いることも可能であるし、また、データ圧縮することなく、非圧縮のまま処理することも可能である。
【０１３３】
また、デジタル入力／出力端子３０２、デジタルインターフェイス３０３を通じて、自機宛ての制御信号を受信したときには、これは、デジタルインターフェイス３０３からＣＰＵ３４０に供給されて用いるようにされる。逆に、この実施の形態のハードディスク装置３のＣＰＵ３４０からの要求などの信号は、デジタルインターフェイス３０３、デジタル入力／出力端子３０２を通じて、制御装置本体部２などに送信することもできるようにされる。
【０１３４】
［タイムシフト視聴について］
そして、この実施の形態のハードディスク装置３は、ＢＳテレビ放送、ＣＳテレビ放送、地上波テレビ放送による放送番組を視聴する場合には、視聴するように選択された放送番組の放送信号を一度ハードディスク３１８に記録し、そのハードディスク３１８から目的とする放送番組の放送信号を読み出して再生するというように、常に、ハードディスク３１８を介してテレビ放送番組を再生するようにすることができるものである。
【０１３５】
そして、放送番組の視聴中に、トイレに立つなどする場合などにおいて、再生一時停止などの所定の操作を行うことにより、放送番組のハードディスク３１８への記録は続行し、再生一時停止が解除されるまで、再生が停止される。そして、使用者が戻ってきたときに、再生一時停止を解除するなどの所定の操作を行うことによって、席を離れた時点のシーンから放送番組の視聴を続行するようにすることができるようにしている。
【０１３６】
さらに、詳しくは後述もするように、制御装置本体部２の制御によりタイムシフト視聴の機能を拡大し、部屋を移動した場合においても、前の部屋で視聴していたテレビ放送番組を前の部屋の続き部分から移動先の部屋において自動的に視聴することもできるようにしている。すなわち、ハードディスク装置３を通じて再生されるコンテンツが、使用者に追従することができるようにしている。
【０１３７】
［ＴＶセット４の構成例について］
次に、図１、図２に示したように、各部屋に設置されるとともに、ルータ５を通じて、制御装置本体部２、ハードディスク装置３とも接続されるＴＶセット４Ａ〜４Ｄの構成例について説明する。
【０１３８】
なお、ＴＶセット４Ａは、ハイビジョン対応の高級機、ＴＶセット４Ｂ〜４Ｄはハイビジョンには対応していない一般機というような違いはあるものの、基本機能は同じであるので、以下においては、ＴＶセット４Ａ〜４Ｄを、同様の構成を有するＴＶセット４として説明する。
【０１３９】
図１０は、この実施の形態のＴＶセット４の構成例を説明するためのブロック図である。図１０に示すように、この実施の形態のＴＶセット４は、ＣＰＵ４２１、ＲＯＭ４２２、ＲＡＭ４２３がＣＰＵバス４２４を通じて接続されてマイクロコンピュータの構成とされた制御部４２０を備えている。この制御部４２０は、このＴＶセット４の各部を制御するものである。
【０１４０】
また、ＣＰＵバス４２４には、Ｉ／Ｆ４２５を通じてキー操作部４２６が接続されるとともに、リモコン信号受光部４２７が接続されている。キー操作部４２６は、数字キー、チャンネル選択キー、音量調整キーなど、使用者からの指示入力を受け付ける各種の操作キーが設けられたものである。
【０１４１】
また、リモコン信号受光部４２７は、キー操作部４２６と同じ様に各種の操作キーが設けられたリモコン４１からの赤外線のリモコン信号を受光し、これを電気信号に変換して制御部４２０に供給することができるものである。制御部４２０は、キー操作部４２６やリモコン信号受光部４２７を通じて受け付けた使用者からの指示入力に応じて、各部を制御することができるものである。
【０１４２】
そして、この実施の形態のＴＶセット４においては、図１０にも示すように、３つの入力端部を有し、そのそれぞれを通じて入力される映像信号と音声信号とは、セレクタ４０４に供給される。
【０１４３】
すなわち、受信アンテナ４０１で受信された地上波テレビ放送信号は、ＵＨＦ／ＶＨＦチューナー部４０２に供給される。ＵＨＦ／ＶＨＦチューナー部４０２は、これに供給されたテレビ放送信号の中から、制御部４２０からの選局制御信号に基づいて、目的とするテレビ放送信号を受信選局し、この受信選局したテレビ放送信号を復調して、映像／音声分離部４０３に供給する。映像／音声分離部４０３は、これに供給された復調されたテレビ放送信号から映像信号と音声信号とを分離し、これらをセレクタ４０４に供給する。
【０１４４】
また、例えば、ＶＴＲやＤＶＤプレーヤなどの外部機器からのアナログ映像信号とアナログ音声信号とは、アナログ映像信号の入力端子４０９とアナログ音声信号の入力端子４１０とを通じてその供給を受け付ける。このアナログ映像信号の入力端子４０９とアナログ音声信号の入力端子４１０とを通じて受け付けたアナログ映像信号、アナログ音声信号もセレクタ４０４に供給される。
【０１４５】
また、例えば、ルータ５を通じて送信されてくる映像データと音声データとを含むパケットデータ（デジタルデータ）は、デジタル入力／出力端子４１１を通じて受け付けられ、受け付けられたデジタルデータは、デジタルインターフェイス４１２に供給される。デジタルインターフェイス４１２は、自機宛てのデジタルデータを取り込んで、この実施の形態のＴＶセット４において処理が可能な形式のデジタルデータに変換し、これをデコーダ４１３に供給する。
【０１４６】
デコーダ４１３は、これに供給されたデジタルデータに施されている符号化処理を復号化し、符号化前のデジタルデータを復元するとともに、映像データと音声データとを分離し、そのそれぞれをＤ／Ａ（デジタル／アナログ）変換部４１４に供給する。
【０１４７】
Ｄ／Ａ変換部４１４は、これに供給されたデジタル信号の映像データと音声データとをアナログ信号に変換し、変換後の映像信号と音声信号とをセレクタ４０４に供給する。
【０１４８】
セレクタ４０４は、使用者からの指示入力に応じた制御部４２０からの選択制御信号に基づいて、指示された入力端からの映像信号と音声信号とを出力する。つまり、セレクタ４０４は、ＵＨＦ／ＶＨＦチューナー部４０２からの映像信号と音声信号とを出力するか、入力端子４０９、４１０を通じて供給された映像信号と音声信号とを出力するか、デジタル入力／出力端子４１１を通じて供給された映像信号と音声信号とを出力するかを切り換える。
【０１４９】
セレクタ４０４から出力された映像信号は、映像信号処理部４０５に供給され、ここでディスプレイ４０６に供給する形式の映像信号に変換されて、変換後の映像信号がディスプレイ４０６に供給される。これにより、ディスプレイ４０６の表示面に、これに供給された映像信号に応じた映像が表示するようにされる。
【０１５０】
また、セレクタ４０４から出力された音声信号は、音声信号処理部４０７に供給され、ここでスピーカ４０８に供給する音声信号に変換されて、変換後の音声信号がスピーカ４０８に供給される。これにより、スピーカ４０８からこれに供給された音声信号に応じた音声が放音するようにされる。
【０１５１】
また、デジタル入力／出力端子４１１、デジタルインターフェイス４１２を通じて、自機宛ての制御信号を受信したときには、これは、デジタルインターフェイス４１２から制御部４２０に供給されて用いるようにされる。逆に、この実施の形態のＴＶセット４の制御部４２０からの要求などの信号は、デジタルインターフェイス４１２、デジタル入力／出力端子４１１を通じて、制御装置本体部２などに送信することもできるようにされる。
【０１５２】
［帰宅時の処理と放送番組のタイムシフト視聴処理について］
次に、上述したように構成されるこの第１の実施の形態のホームネットワークシステムの動作について図１１、図１２のフローチャートを参照しながら具体的に説明する。
【０１５３】
［帰宅時の処理の処理について］
まず、図１１を参照しながら、上述したように構成されるこの実施の形態のホームネットワークシステムが構築された家庭に家族が帰宅した場合の主に制御装置本体部２と送受信部２１Ｅとにおいての動作について説明する。
【０１５４】
制御装置本体部２に接続された送受信部２１Ｅの制御部５０は、常時、例えば一定間隔で、電子鍵カード１との間で通信を行ったか否かを監視している（ステップＳ１０１）。
【０１５５】
ステップＳ１０１の処理において、電子鍵カード１との間で通信を行ったと判断したときには、送受信部２１Ｅの制御部５０は、リード／ライト部６２を通じて、これにかざされた電子鍵カード１から個人ＩＤなどの情報を取り込み（ステップＳ１０２）、これに自機の装置ＩＤを付加し、Ｉ／Ｆ５９を通じて制御装置本体部２に転送する（ステップＳ１０３）。
【０１５６】
制御装置本体部２においては、ステップＳ１０３において送受信部２１Ｅから送信された電子鍵カード１からの個人ＩＤに基づいて、当該電子鍵カード１の所有者が、制御装置本体部２に予め登録された家族であるか否かの認証チェックを行って、その認証チェック結果を送信先を送受信部２１Ｅとして返信してくる。
【０１５７】
送受信部２１Ｅの制御部５０は、上述のように、制御装置本体部２から返信されてくる認証チェック結果をＩ／Ｆ５９を通じて受信し（ステップＳ１０４）、受信した認証チェック結果が認証されたことを示すものか否か（認証ＯＫか否か）を判断する（ステップＳ１０５）。
【０１５８】
ステップＳ１０５の判断処理において、認証されていないと判断したときには、送受信部２１ＥのＬＥＤ６１のうち、赤色のＬＥＤを点滅させ（ステップＳ１０６）、ステップＳ１０１からの処理を繰り返す。
【０１５９】
これにより、電子鍵カード１から個人ＩＤが正確に取り込めなかったりするなどして、適正に認証処理が行えなかった場合には、ステップＳ１０１からの処理の再試行により正常な処理が可能となる。また、電子鍵カード１がこの実施の形態のホームネットワークシステムで用いられるものではない場合などにおいては、ステップＳ１０７以降の処理には進めないことになる。
【０１６０】
そして、ステップＳ１０５の判断処理において、認証がされたと判断したときには、送受信部２１Ｅの制御部５０は、送受信部２１ＥのＬＥＤ６１のうち、緑色のＬＥＤを１秒間点灯させ（ステップＳ１０７）、認証がされたことを使用者に通知するようにした後、ドアロック機構駆動部５７を制御して、玄関ドア部分に設けられたドアロック機構の施錠を解除する（ステップＳ１０８）。
【０１６１】
そして、送受信部２１Ｅの制御部５０は、ドアロックが解除された玄関ドアが実際に開かれたか否かを判断する（ステップＳ１０９）。この判断処理は、図８には示さなかったが、玄関ドア部分に設けられたドア開閉センサからの出力をＩ／Ｆを通じて制御部５０が得て、玄関ドアが開かれたか否かを判断することになる。
【０１６２】
ステップＳ１０９の判断処理において、玄関ドアが開かれていないと判断したときには、制御部５０は、時計回路５６の時刻を監視して、ドアロック解除から１０秒経過したか否かを判断する（ステップＳ１１０）。
【０１６３】
ステップＳ１１０の判断処理において、ドアロック解除から１０秒経過していないと判断したときには、制御部５０は、ステップＳ１０９からの処理を繰り返す。また、ステップＳ１１０の判断処理において、ドアロック解除から１０秒経過したと判断したときには、制御部５０は、ドアロック機構駆動部５７を制御して、ドアロックを施錠し（ステップＳ１１１）、ステップＳ１０１からの処理を繰り返す。
【０１６４】
また、ステップＳ１０９の判断処理において、玄関ドアが実際に開かれたと判断したときには、送受信部２１Ｅの制御部５０は、在宅者登録要求を生成し、これをＩ／Ｆ５９を通じて制御装置本体部２に転送する（ステップＳ１１２）。
【０１６５】
この在宅者登録要求を受け付けた制御装置本体部２においては、ＥＥＰＲＯＭ２０４に形成されている図５に示した使用者個人情報の在宅／外出フラグを在宅を示す状態にする在宅者登録処理が行われることになる。
【０１６６】
そして、送受信部２１Ｅの制御部５０は、ステップＳ１０９の判断処理の場合と同様に、玄関ドア部分に設けられたドア開閉センサからの出力をＩ／Ｆを通じて得て、ステップＳ１０９において開かれたと判断された玄関ドアが、閉じられル間で待ち状態となる（ステップＳ１１３）。
【０１６７】
ステップＳ１１３において、玄関ドアが閉じられたと判断したときには、３秒間だけ待った後（ステップＳ１１４）、ステップＳ１１１の処理に進み、玄関ドアのドアロックを施錠し、ステップＳ１０１からの処理を繰り返す。
【０１６８】
このように、この実施の形態のホームネットワークシステムにおいては、家族のそれぞれが持つ電子鍵カード１を玄関先に設けられた送受信部２１Ｅのリード／ライト部６２にかざすだけで、家族の認証がチェックされ、認証が取れた場合にのみ玄関のドアロックが解除されて屋内に入ることができるようにされる。
【０１６９】
［放送番組のタイムシフト視聴時の処理について］
次に、図１２を参照しながら、この実施の形態のホームネットワークシステムにおける放送番組のタイムシフト視聴処理について説明する。まず、具体的な処理の説明に先立って、放送番組のタイムシフト視聴の概要について説明する。
【０１７０】
上述もしたように、この実施の形態のホームネットワークシステムにおいては、ハードディスク装置３を用いることによって、部屋を変えての放送番組のタイムシフト視聴をできるようにしている。この場合の部屋を変えての放送番組のタイムシフト視聴は、制御装置本体部２のＥＥＰＲＯＭ２０４に形成される在室管理情報を利用することにより実現することができる。
【０１７１】
つまり、図１１を用いて上述したように、この実施の形態のホームネットワークシステムが構築された家庭の家族が帰宅すると、送受信部２１Ｅのリード／ライト部６２に自己の電子鍵カード１をかざすことにより、認証チェックを受け、認証が取れた場合にドアロックが解除されて屋内への立ち入りが許可され、在宅登録がするようにされる。
【０１７２】
同様に、この実施の形態のホームネットワークシステムが構築された家庭の屋内において、各部屋に入室する場合、あるいは、入室した部屋から退室する場合においても、各部屋の出入口付近に設けられた送受信部２１Ａ〜２１Ｅのリード／ライト部６２に自己の電子鍵カードをかざすことにより、個人ＩＤが読み出され、制御装置本体部２に転送されて、入室、退室のタイミングが把握されるとともに、図６に示した在室管理情報が更新され、各部屋の在室者が管理するようにされている。
【０１７３】
そして、ある部屋でテレビ放送番組を視聴している場合において、その部屋の送受信部のリード／ライト部６２に電子鍵カード１がかざされることにより、その電子鍵カード１の所有者の退室が検出された場合に、他に在室者がいない場合には、放送信号のタイムシフト再生のためのハードディスクへの記録は続行するが、ハードディスクからの放送信号の再生は停止させる。
【０１７４】
その電子鍵カード１の所有者が別の部屋に入室したことが検出された場合に、退室時点において再生されていた放送信号の再生位置からの再生を再開させ、新たに入室した部屋のＴＶセットを通じて視聴できるようにする。つまり、放送番組が使用者に追従するようにいて再生することができるようにしている。
【０１７５】
以下、図１２のフローチャートに沿って、この実施の形態のホームネットワークシステムにおけるタイムシフト視聴時の処理について説明する。以下においては、部屋Ａにおいて放送番組の視聴を開始した場合の例として説明する。
【０１７６】
上述したように、部屋Ａの送受信部２１Ａのリード／ライト部６２に電子鍵カードがかざされ、個人ＩＤが読み出されて、これに送受信部２１Ａの装置ＩＤが付加されて、Ｉ／Ｆ５９を通じて制御装置本体部２に転送されて在室管理情報が更新される。この後、自動あるいは手動で、ハードディスク３およびＴＶセット４Ａの電源が投入されて、タイムシフト視聴が可能なようにされると、制御装置本体部２とハードディスク装置３とが協働して、図１２に示す処理を開始する。
【０１７７】
すなわち、電源が投入されたハードディスク装置３は、使用者からの選局指示に応じた放送信号の受信を開始し（ステップＳ２０１）、受信した放送信号を自己のハードディスク３１８に記録して行く（ステップＳ２０２）。ここでの記録は、放送信号の全部を記録することを目的とするものではなく、視聴者が中座してから戻って来るまでの時間である例えば５分から１０分程度の放送信号をいわゆるリングバッファ的に記録して行くものである。
【０１７８】
そして、ハードディスク３１８に記録した放送信号を一定時間遅延させるようにした位置から読み出し（ステップＳ２０３）、これをデコードするなどの処理を行って、部屋ＡのＴＶセット４Ａに供給し（ステップＳ２０４）、放送番組をその部屋ＡのＴＶセット４Ａを通じて視聴できるようにする。
【０１７９】
ここで、記録よりも再生を若干遅延させるようにするのは、使用者が中座するなどして、タイムシフト視聴を行う場合に、当該使用者が視聴できなくなるシーンを生じさせることがないようにするためである。
【０１８０】
そして、制御装置本体部２は、送受信部２１Ａから個人ＩＤが送信されてきて、タイムシフト視聴可能な態様で放送番組が視聴されている部屋Ａの在室者の移動、すなわち、タイム視聴可能な態様で放送番組が視聴されている部屋Ａからの在室者の退室を検出したか否かを判断する（ステップＳ２０５）。
【０１８１】
すなわち、各部屋の送受信部２１Ａ〜２１Ｄのそれぞれは、自機の装置ＩＤを付加して、電子鍵カード１から読み出した個人ＩＤを送信してくるので、制御装置本体部２は、どの部屋の送受信部から個人ＩＤが送信されて来たかを判別することができるのである。
【０１８２】
ステップＳ２０５の判断処理において、部屋Ａからの在室者の移動を検出していないと判断したときには、制御装置本体部２、ハードディスク装置３は、ステップＳ２０２からの処理を繰り返す。ステップＳ２０５の判断処理において、部屋Ａからの在室者の移動を検出したと判断したときには、制御装置本体部２は、ルータ５を通じて、移動検出時点のハードディスク上の再生位置を取得し、これを記憶する（ステップＳ２０６）。また、このステップＳ２０６においては、退室者の個別ＩＤが、例えば、在室管理情報のその他の欄に記録するようにされ、退室者が管理するようにされる。
【０１８３】
ハードディスク装置３は、放送信号を記録するハードディスク３１８上の記憶エリアを大きき取るようにし、放送信号の記録を続行する（ステップＳ２０７）。この場合には、単に部屋を移動する場合もあれば、外出したり、入浴したりするために比較的に長い時間に渡って退室したままとなることをも考慮し、１時間から数時間程度、あるいは、その放送番組が終了するまでの間においては、記録した放送信号をハードディスク３１８から消去することなく放送信号を記録する。
【０１８４】
なお、このステップＳ２０７においては、退室者が検出された部屋に、他の在室者がいる場合には、記録と再生とを続行するようにし、他に在室者がいない場合には、制御装置本体部２は、ルータ５を通じてハードディスク装置３、ＴＶセット４Ａを制御し、再生処理を停止させるとともに、ＴＶセット４Ａの電源を自動的にオフにするようにしている。
【０１８５】
また、その放送番組が終了するまで記録するようにする場合には、その放送信号に付加された付加情報に基づいて、その放送が終了したか否かを判別するようにしたり、予め使用者が、その放送の終了時刻をハードディスク装置３や制御装置本体部２に登録しておくことにより実現することができる。
【０１８６】
そして、ステップＳ２０５で移動が検出された使用者の移動先が検出されたか否か、すなわち、ステップＳ２０５で部屋を退室するようにした使用者が、退室した部屋を含め、いずれかの部屋に入室したか否かを判断する（ステップＳ２０８）。
【０１８７】
このステップＳ２０８の判断処理においても、各送受信部２１Ａ〜２１Ｄから送信されてくるデータには、その送受信部の装置ＩＤが付加されているので、制御装置本体部２は、ステップＳ２０５で部屋を退室するようにした使用者が、どの部屋に移動したのかを判別することができるのである。
【０１８８】
また、このステップＳ２０８に判断処理においては、図６に示した在室管理情報のその他の欄に登録された使用者が、いずれかの部屋に入室したか否かに応じて判断することができ、入室した部屋の送受信部２１Ａ〜２１Ｄのリード／ライト部６２に自己の電子鍵カードをかざすことによって、入室の登録を行うようにすることができる。
【０１８９】
ステップＳ２０８の判断処理において、移動先を検出していないと判断したときには、制御装置本体部２、ハードディスク装置３は、ステップＳ２０７からの処理を繰り返す。ステップＳ２０８の判断処理おいて、移動先を検出した、すなわち、ステップＳ２０５において、退室が検出された使用者のいずれかの部屋への入室が検出されたと判断したときには、制御装置本体部２は、ハードディスク装置３を制御して、ステップＳ２０６において記憶したハードディスク３１８上の再生位置からの放送信号の読み出しを再開し（ステップＳ２０９）、読み出した放送信号を移動先のＴＶセットに転送する（ステップＳ２１０）。
【０１９０】
これにより、部屋Ａにおいて視聴していた放送番組を、部屋Ｂ、Ｃ、Ｄに移動した後においても、自動的にタイムシフトするようにして再生し、これを視聴することができるようにされる。
【０１９１】
なお、ステップＳ２０９の処理においては、制御装置本体部２が、移動先のＴＶセットの電源が投入されているか否かをルータ５を通じて確認し、電源が投入されていないときには、その部屋のＴＶセットの電源を自動的に投入するようにすることもできる。また、制御装置本体部２は、移動元の部屋に在室者がいない場合であって、ＴＶセットの電源が投入されたままであるときには、その移動元の部屋のＴＶセットの電源を自動的にオフにするようにすることもできる。
【０１９２】
また、図１２において、ステップＳ２１０の処理の後に、ステップＳ２０５の判断処理と同様に、さらに使用者が移動したか否かを判断し、移動したと判断したときには、ステップＳ２０６からの処理を繰り返すようにしてもよい。
【０１９３】
このように、この実施の形態のホームネットワークシステムにおいては、電子鍵カード１の所有者の各部屋への入室と退室とを管理し、さらにハードディスク装置３やＴＶセット４Ａ〜４Ｄの動作状態をも管理して、同じ部屋においてのタイムシフト視聴と部屋を変えてのタイムシフト視聴との両方を実現することができるようにしている。
【０１９４】
［第２の実施の形態］
上述した第１の実施の形態においては、ハードディスク装置３を用いることにより、いわゆるタイムシフト視聴を可能にする場合を説明した。しかし、タイムシフト視聴だけでなく、ＤＶＤプレーヤなどを用いたコンテンツの単なる再生の場合においても、コンテンツの再生を使用者の移動に追従するようにして、移動元の部屋から移動先の部屋へと移すようにすることもできる。
【０１９５】
図１３は、この第２の実施の形態のホームネットワークをシステムを説明するための図である。図１３に示す第２の実施の形態のホームネットワークシステムは、ハードディスク装置３に変えて、ＤＶＤプレーヤ７を用いるようにしている点を除けば、図１〜図１０を用いて説明した第１の実施の形態と同様に構成されるものである。このため、図１３において、第１の実施の形態のホームネットワークと同様に構成される部分には、同じ参照符号を付し、その詳細な説明は省略することとする。
【０１９６】
図１３に示すように、この第２の実施の形態のホームネットワークシステムの場合には、部屋Ａに設置されるＤＶＤプレーヤ７は、部屋ＡのＴＶセット４Ａに映像信号や音声信号を提供することができるとともに、ルータ５を通じて、部屋Ｂ、Ｃ、ＤのＴＶセット４Ｂ、４Ｃ、４Ｄにもコンテンツデータを提供することができるようにされている。
【０１９７】
そして、上述もしたように、この第２の実施の形態においては、例えば、部屋Ａにおいて、ＤＶＤプレーヤ７により再生するようにされるコンテンツをＴＶセット４Ａで視聴している場合に、視聴者が他の部屋に移動した場合に、その移動した部屋において、部屋Ａで視聴していたコンテンツの続きを自動的に視聴できるようにすることができるものである。つまり、視聴者に再生コンテンツが追従するようにしたものである。
【０１９８】
まず、この第２の実施の形態で用いるＤＶＤプレーヤ７の構成例について説明する。図１４は、この第２の実施の形態のＤＶＤプレーヤ７の構成例を説明するためのブロック図である。図１４に示すように、この第２の実施の形態のＤＶＤプレーヤ７は、ＣＰＵ７２１、ＲＯＭ７２２、ＲＡＭ７２３がＣＰＵバス７２４を通じて接続されてマイクロコンピュータの構成とされた制御部７２０を備えている。この制御部７２０は、ＤＶＤプレーヤ７の各部を制御するものである。
【０１９９】
また、ＣＰＵバス７２４には、Ｉ／Ｆ７２５を通じてキー操作部７２６が接続されるとともに、リモコン信号受光部７２７が接続されている。キー操作部７２６は、使用者からの指示入力を受け付ける各種の操作キーが設けられたものである。
【０２００】
また、リモコン信号受光部７２７は、キー操作部７２６と同じ様に各種の操作キーが設けられたリモコン７１からの赤外線のリモコン信号を受光し、これを電気信号に変換して制御部７２０に供給することができるものである。制御部７２０は、キー操作部７２６やリモコン信号受光部７２７を通じて受け付けた使用者からの指示入力に応じて、各部を制御することができるものである。
【０２０１】
この第２の実施の形態のＤＶＤプレーヤ７に装填されたＤＶＤは、図示しないが、スレッドモータによって回転駆動される。読み出し部７０１は、図示しないが、光ピックアップ、２軸アクチュエータ、各種のサーボ回路などを備え、ＤＶＤにレーザ光を照射し、その反射光を受光することによって、ＤＶＤに記録されたデータを読み出し、これを分離回路７０２に供給する。
【０２０２】
分離回路７０２は、読み出し部７０１からのデータをそのままデジタルインターフェイス７０３に供給するとともに、読み出し部７０１からのデータから映像データと音声データとを分離抽出し、映像データを映像デコーダ７０５に供給し、音声データは音声デコーダ７０９に供給する。
【０２０３】
デジタルインターフェイス７０３は、これに供給されたデジタルデータを外部に出力する形式のデータに変換し、これをデジタル入力／出力端子７０４を通じて外部に出力する。
【０２０４】
また、映像デコーダ７０５は、これに供給された映像データに施されている符号化処理を復号化し、復号化後の映像データを映像信号処理部７０６に供給する。映像信号処理部７０６は、これに供給された映像データに対して所定のフィルタ処理などを行い、処理後の映像データをＮＴＳＣエンコーダ７０７に供給する。
【０２０５】
ＮＴＳＣエンコーダ７０７は、これに入力された映像データ（コンポーネントデジタル信号）をＹＣ信号に変換した後、Ｄ／Ａ変換を行い、アナログのコンポジットビデオ信号Ｃとセパレートビデオ信号Ｓを生成して、そのそれぞれをべつ別に用意されるアナログビデオ信号の出力端子７０８を通じて出力する。
【０２０６】
一方、音声デコーダ７０９は、これに供給された音声データに施されている符号化処理を復号化し、復号化後の音声データを音声信号処理部７１０に供給する。音声信号処理部７１０は、これに供給された音声データに対して、フィルタ処理、フェード処理などの必要な処理を行い、処理後の音声データをＤ／Ａ変換部７１１に供給する。Ｄ／Ａ変換部７１１は、これに供給された音声データをアナログ音声信号に変換し、これをアナログオーディオ信号の出力端子７１２を通じて出力する。
【０２０７】
このように、この実施の形態のＤＶＤプレーヤ７は、記録媒体であるＤＶＤにデジタルデータとして記録されているコンテンツをデジタルインターフェイス７０３や、外部に設けられているルータ５などを通じて、各部屋に設けられているＴＶセット４Ｂ〜４Ｄなどに供給することができるとともに、ＤＶＤに記録されている映像データ、音声データを復号化して、アナログ信号に変換し、これを出力して直接にＴＶセット４Ａに供給することもできるものである。
【０２０８】
なお、ルータ５を通じて、この第２の実施の形態のＤＶＤプレーヤ７にも制御信号などが送信されてくるが、これは、デジタル入力／出力端子７０４、デジタルインターフェイス７０３を通じて受け付けて、デジタルインターフェイス７０３から制御部７２０に供給され、これを制御部７２０により利用することができるようにされる。
【０２０９】
また、制御７２０からの制御データを、デジタルインターフェイス７０３、デジタル入力／出力端子７０４を通じて、例えば制御装置本体部２などの他の電子機器に送信することもできるようにされる。
【０２１０】
［ＤＶＤからのコンテンツの再生処理について］
次に、ＤＶＤプレーヤ７を用いたＤＶＤからのコンテンツの再生時の処理について、▲１▼移動検出時にコンテンツの再生一時停止を行う場合（再生一時停止対応モード）、▲２▼移動検出時にコンテンツの再生は停止させずに再生位置を記憶しておき、移動先検出時に早戻しして再生を繰り返すようにする場合（早戻し対応モード）、▲３▼移動検出時にコンテンツの再生は停止させずに再生位置を記憶しておき、移動先に応じて処理を変える場合（移動先対応モード）とに分けて説明する。
【０２１１】
まず、具体的な処理の説明に先立って、部屋を変えてのＤＶＤプレーヤからのダイレクト再生の概要について説明する。上述もしたように、この第２実施の形態のホームネットワークシステムにおいては、ＤＶＤプレーヤ７を用いることによって、部屋を変えての再生コンテンツの継続視聴をできるようにしている。この場合の部屋を変えてのコンテンツの継続視聴は、前述したタイムシフト視聴の場合と同様に、制御装置本体部２のＥＥＰＲＯＭ２０４に形成される在室管理情報を利用することにより実現される。
【０２１２】
そして、第１の実施の形態の場合のホームネットワークシステムの場合と同様に、この第２の実施の形態のホームネットワークシステムが構築された家庭の屋内において、各部屋に入室する場合、あるいは、入室した部屋から退室する場合においても、各部屋の出入口付近に設けられた送受信部２１Ａ〜２１Ｄのリード／ライト部６２に自己の電子鍵カード１をかざすことにより、個人ＩＤが読み出され、これが読み出した送受信部２１Ａ〜２１Ｄの装置ＩＤとともに制御装置本体部２に転送されて、入室、退室のタイミングが把握されるとともに、図６に示した在室管理情報が更新され、各部屋の在室者が管理するようにされている。
【０２１３】
そして、ある部屋でＤＶＤプレーヤ７により再生するようにしているコンテンツを視聴している場合において、その部屋の送受信部のリード／ライト部６２に電子鍵カード１がかざされることにより、その電子鍵カード１の所有者の退室が検出された場合に、上述した▲１▼〜▲３▼のいずれかの対応モードで、電子鍵カード１の所有者の移動に対応するようにしているが、いずれの場合においても、再生コンテンツが電子鍵カードの所有者に追従するようにしている。
【０２１４】
以下、上述の▲１▼〜▲３▼の各モード時の処理について説明するが、いずれの場合においても、ハードディスク装置３に変えてＤＶＤプレーヤ７を用いるようにして図２に示したように構成されるホームネットワークシステムの場合であって、部屋Ａにおいて、ＤＶＤプレーヤからの再生コンテンツの視聴を開始した場合を例にして説明することとする。
【０２１５】
［▲１▼再生一時停止対応モード時の処理について］
まず、▲１▼再生一時停止対応モード時の処理について、図１５のフローチャートに沿って説明する。上述したように、入室した部屋の送受信部２１Ａのリード／ライト部６２に電子鍵カード１がかざされ、個人ＩＤが読み出されて、これが送受信部２１Ａの装置ＩＤとともに、Ｉ／Ｆ５９を通じて制御装置本体部２に転送されて在室管理情報が更新するようにされる。この後、自動または手動で、ＤＶＤプレーヤ７およびＴＶセット４Ａの電源が投入されて、コンテンツの利用ができる状態にされると、制御装置本体部２とＤＶＤプレーヤ７とは、協働して図１５に示す処理を開始する。
【０２１６】
すなわち、電源が投入されたＤＶＤプレーヤ７は、使用者からの選択指示に応じて、読み出し部７０２を制御して、自機に装填されたＤＶＤからデータを読み出し（ステップＳ３０１）、この読み出したデータを上述したアナログ信号系の各回路を用いてアナログ信号に変換し、これをＤＶＤプレーヤ７の近傍のＴＶセット４Ａに供給して、ＴＶセット７を通じてＤＶＤコンテンツの視聴を可能にする（ステップＳ３０２）。
【０２１７】
そして、制御装置本体部２は、部屋Ａの送受信部２１Ａから送受信部２１Ａの装置ＩＤとともに個人ＩＤが送信されてきて、ＤＶＤコンテンツが視聴されている部屋Ａの在室者の移動、すなわち、部屋Ａからの在室者の退室を検出したか否かを判断する（ステップＳ３０３）。
【０２１８】
ステップＳ３０３の判断処理において、部屋Ａの在室者の移動を検出していないと判断したときには、制御装置本体部２、ＤＶＤプレーヤ７は、ステップＳ３０１からの処理を繰り返す。
【０２１９】
ステップＳ３０３の判断処理において、部屋Ａの在室者の移動を検出したと判断したときには、制御装置本体部２は、ルータ５を通じて、ＤＶＤプレーヤ７を制御し、ＤＶＤの再生を一時停止させる（ステップＳ３０４）。このステップＳ３０４においては、退室者の個別ＩＤが、例えば、在室管理情報のその他の欄に記録するようにされ、退室者が管理するようにされる。
【０２２０】
この後、ステップＳ３０３で移動が検出された使用者の移動先が検出されたか否か、すなわち、ステップＳ３０３で部屋を退室するようにした使用者が、退室した部屋を含め、いずれかの部屋に入室したか否かを判断する（ステップＳ３０５）。
【０２２１】
このステップＳ３０５の判断処理は、図６に示した在室管理情報のその他の欄に登録された使用者が、いずれかの部屋に入室したか否かに応じて判断され、入室した部屋の送受信部２１Ａ〜２１Ｄのリード／ライト部６２に自己の電子鍵カード１をかざすことによって、その電子鍵カード１から個人ＩＤが読み出され、この読み出された個人ＩＤと読み出した送受信部の装置ＩＤとが制御装置本体部２に送信されることにより、これを受信した制御装置本体部２において、入室の登録を行うようにすることができる。
【０２２２】
ステップＳ３０５の判断処理において、移動先を検出していないと判断したときには、このステップＳ３０５の処理を繰り返し、目的とする使用者の移動先が検出するようにされる。
【０２２３】
ステップＳ３０５の判断処理おいて、移動先を検出した場合、すなわち、ステップＳ３０３において退室が検出された使用者のいずれかの部屋への入室を検出したと判断したときには、制御装置本体部２は、ＤＶＤプレーヤ７を制御して、ＤＶＤからのコンテンツデータの読み出しを再開し（ステップＳ３０６）、読み出したコンテンツデータを移動先のＴＶセットに転送する（ステップＳ３０７）。
【０２２４】
これにより、部屋Ａにおいて視聴していたＤＶＤコンテンツを、部屋Ｂ、Ｃ、Ｄに移動した後において、自動的に再生を再開するようにして視聴することができるようにされる。
【０２２５】
なお、ステップＳ３０６の処理においては、例えば移動先のＴＶセットの電源が投入されているか否かをルータ５を通じて確認し、電源が投入されていないときには、その部屋のＴＶセットの電源を投入するようにしてもよい。また、移動元の部屋に在室者がいない場合であって、当該部屋のＴＶセットの電源が投入されている場合には、当該部屋のＴＶセットの電源をオフにすることもできる。
【０２２６】
また、図１５において、ステップＳ３０７の処理の後に、ステップＳ３０３の判断処理と同様に、さらに使用者が移動したか否かを判断し、移動したと判断したときには、ステップＳ３０４からの処理を繰り返すようにしてももちろんよい。
【０２２７】
［▲２▼早戻し対応モード時の処理について］
次に、▲２▼早戻し対応モード時の処理について、図１６のフローチャートに沿って説明する。上述したように、入室した部屋の送受信部２１Ａのリード／ライト部６２に電子鍵カード１がかざされ、個人ＩＤが読み出されて、これが送受信部２１Ａの装置ＩＤとともに、Ｉ／Ｆ５９を通じて制御装置本体部２に転送されて在室管理情報が更新するようにされる。この後、自動または手動で、ＤＶＤプレーヤ７およびＴＶセット４Ａの電源が投入されて、コンテンツの利用ができる状態にされると、制御装置本体部２とＤＶＤプレーヤ７とは、協働して図１６に示す処理を開始する。
【０２２８】
すなわち、電源が投入されたＤＶＤプレーヤ７は、使用者からの選択指示に応じて、読み出し部７０２を制御して、自機に装填されたＤＶＤからデータを読み出し（ステップＳ４０１）、この読み出したデータを上述したアナログ信号系の各回路を用いてアナログ信号に変換し、これをＤＶＤプレーヤ７の近傍のＴＶセット４Ａに供給して、ＴＶセット７を通じてＤＶＤコンテンツの視聴を可能にする（ステップＳ４０２）。
【０２２９】
そして、制御装置本体部２は、部屋Ａの送受信部２１Ａから、送受信部２１Ａの装置ＩＤとともに個人ＩＤが送信されてきて、ＤＶＤコンテンツが視聴されている部屋Ａの在室者の移動、すなわち、部屋Ａからの在室者の退室を検出したか否かを判断する（ステップＳ４０３）。
【０２３０】
ステップＳ４０３の判断処理において、部屋Ａの在室者の移動を検出していないと判断したときには、制御装置本体部２、ＤＶＤプレーヤ７は、ステップＳ４０１からの処理を繰り返す。
【０２３１】
ステップＳ４０３の判断処理において、部屋Ａの在室者の移動を検出したと判断したときには、制御装置本体部２は、ルータ５を通じて、ＤＶＤプレーヤ７を制御し、ＤＶＤの再生位置を取得してこれを記憶する（ステップＳ４０４）。この場合、ＤＶＤプレーヤ７の再生は停止させること無く続行させる。このステップＳ４０４においては、退室者の個別ＩＤが、例えば、在室管理情報のその他の欄に記録するようにされ、退室者が管理するようにされる。
【０２３２】
この後、ステップＳ４０３で移動が検出された使用者の移動先が検出されたか否か、すなわち、ステップＳ４０３で部屋を退室するようにした使用者が、退室した部屋を含め、いずれかの部屋に入室したか否かを判断する（ステップＳ４０５）。
【０２３３】
このステップＳ４０５の判断処理は、図６に示した在室管理情報のその他の欄に登録された使用者が、いずれかの部屋に入室したか否かに応じて判断され、入室した部屋の送受信部２１Ａ〜２１Ｄのリード／ライト部６２に自己の電子鍵カード１をかざすことによって、その電子鍵カード１から個人ＩＤが読み出され、この読み出された個人ＩＤと読み出した送受信部の装置ＩＤとが制御装置本体部２に送信されることにより、これを受信した制御装置本体部２において、入室の登録を行うようにすることができる。
【０２３４】
ステップＳ４０５の判断処理において、移動先を検出していないと判断したときには、このステップＳ４０５の処理を繰り返し、目的とする使用者の移動先が検出するようにされる。
【０２３５】
ステップＳ４０５の判断処理おいて、移動先を検出した場合、すなわち、ステップＳ４０３において退室が検出された使用者のいずれかの部屋への入室を検出したと判断したときには、制御装置本体部２は、ＤＶＤプレーヤ７を制御して、ステップＳ４０４において記憶した再生位置までＤＶＤの再生位置を早戻しし（ステップＳ４０６）、ステップＳ４０４において記憶したＤＶＤの再生位置からコンテンツデータの読み出しを再開し（ステップＳ４０７）、読み出したコンテンツデータを移動先のＴＶセットに転送する（ステップＳ４０７）。
【０２３６】
これにより、部屋Ａにおいて視聴していたＤＶＤコンテンツを、部屋Ｂ、Ｃ、Ｄに移動した後において、自動的に再生を再開するようにして視聴することができるようにされる。
【０２３７】
なお、ステップＳ４０６の処理においては、例えば移動先のＴＶセットの電源が投入されているか否かをルータ５を通じて確認し、電源が投入されていないときには、その部屋のＴＶセットの電源を投入するようにしてもよい。また、移動元の部屋に在室者がいない場合であって、当該部屋のＴＶセットの電源が投入されている場合には、当該部屋のＴＶセットの電源をオフにすることもできる。
【０２３８】
また、図１６において、ステップＳ４０８の処理の後に、ステップＳ４０３の判断処理と同様に、さらに使用者が移動したか否かを判断し、移動したと判断したときには、ステップＳ４０４からの処理を繰り返すようにしてももちろんよい。
【０２３９】
［▲３▼移動先対応モード時の処理について］
次に、▲３▼移動先対応モード時の処理について、図１７のフローチャートに沿って説明する。図１７において、ステップＳ５０１からステップＳ５０５までの処理は、図１６に示したステップＳ４０１からステップＳ４０５までの対応する処理と同様の処理である。
【０２４０】
そして、この図１７に示す▲３▼移動先対応モード時の処理においては、ステップＳ５０５の判断処理において、ステップＳ５０３で移動が検出された使用者の移動先が検出されたと判断した場合には、移動先は元の部屋か否かを判断する（ステップＳ５０６）。
【０２４１】
ステップＳ５０６の判断処理において、移動先が元の部屋であると判断したときには、制御装置本体部２、ＤＶＤプレーヤ７は、新たな動作を起こすことなく、ＤＶＤからの再生を続行する（ステップＳ５０７）。
【０２４２】
この場合には、ステップＳ５０３で移動が検出され、ステップＳ５０６で元の部屋まで戻ってきたと判断されるまでの間のＤＶＤからの再生コンテンツは視聴できないが、ごく短時間である場合には、早戻しなどの時間を使うことなく、ＤＶＤコンテンツの視聴を続行することができる。
【０２４３】
また、ステップＳ５０６の判断処理において、移動先が元の部屋ではないと判断したときには、制御装置本体部２は、ＤＶＤプレーヤ７を制御して、ステップＳ５０４において記憶した再生位置までＤＶＤの再生位置を早戻しし（ステップＳ５０８）、ステップＳ５０４において記憶したＤＶＤの再生位置からコンテンツデータの読み出しを再開して（ステップＳ５０９）、読み出したコンテンツデータを移動先のＴＶセットに転送する（ステップＳ５１０）。
【０２４４】
これにより、部屋Ａにおいて視聴していたＤＶＤコンテンツを、部屋Ｂ、Ｃ、Ｄに移動した後において、視聴できなくなる区間を生じさせること無く自動的に再生を再開するようにして視聴することができるようにされる。
【０２４５】
なお、ステップＳ５０８の処理においては、例えば移動先のＴＶセットの電源が投入されているか否かをルータ５を通じて確認し、電源が投入されていないときには、その部屋のＴＶセットの電源を投入するようにしてもよい。また、移動元の部屋に在室者がいない場合であって、当該部屋のＴＶセットの電源が投入されている場合には、当該部屋のＴＶセットの電源をオフにすることもできる。
【０２４６】
また、図１７において、ステップＳ５０７またはステップＳ５１０の処理の後に、ステップＳ４０３の判断処理と同様に、さらに使用者が移動したか否かを判断し、移動したと判断したときには、ステップＳ５０４からの処理を繰り返すようにしてももちろんよい。
【０２４７】
このように、この実施の形態のホームネットワークシステムにおいては、電子鍵カード１の所有者の各部屋への入室と退室とを管理し、さらにＤＶＤプレーヤ７やＴＶセット４Ａ〜４Ｄの動作状態をも管理して、使用者の移動に再生コンテンツが自動的に追従するようにすることができる。
【０２４８】
この場合、使用者は、ＤＶＤプレーヤ７やＴＶセット４Ａ〜４Ｄに対して複雑な操作を行うことなく、電子鍵カード１を各部屋の送受信部のリード／ライト部６２にかざすという、ごく簡単な動作だけで、使用者の移動に追従してＤＶＤプレーヤ７からのコンテンツデータの送信先のＴＶセットを変え、上述のように、ＤＶＤコンテンツの続きをその映像、音声を途切れさせること無く視聴できるようにすることができる。
【０２４９】
なお、第１の実施の形態では、ハードディスク装置３を用いたタイムシフト視聴の場合を、また、第２の実施の形態では、ＤＶＤプレーヤを用いた移動先へのデータの転送の場合を例にして説明したが、ハードディスク装置３とＤＶＤプレーヤ７の両方を備えている場合には、コンテンツの再生元に応じて、その両方に対応することができる。
【０２５０】
また、再生装置としては、ＤＶＤプレーヤに限るものではなく、ＶＴＲ（Ｖｉｄｅｏ　Ｔｙｐｅ　Ｒｅｃｏｒｄｅｒ）、レーザディスクプレーヤなどの種々の記録媒体を用いた再生装置、あるいは、記録再生装置を用いた場合に、ＤＶＤプレーヤを用いた場合として説明した使用者の移動に応じたデータの転送を行うようにすることができる。
【０２５１】
なお、上述した場合には、ＤＶＤプレーヤ７によるＤＶＤからのコンテンツの再生の場合であっても、少なくとも、上述した▲１▼、▲２▼、▲３▼の各モードを使用者の好みなどに応じて使い分けるようにすることも可能である。
【０２５２】
［第３の実施の形態］
上述した第１、第２の実施の形態においては、各部屋に設置され、制御装置本体部２に接続される送受信部２１Ａ〜２１Ｄを通じて、これにかざされる電子鍵カードから個人ＩＤなどの必要な情報を読み出し、これを制御装置本体部２に供給することにより、使用者の各部屋への入室、退室の検出および登録を行うようにした。しかし、各部屋に送受信部を設けないようにして、ホームネットワークシステムを構築することも可能である。
【０２５３】
以下に説明するこの第３の実施の形態においては、各部屋に設けられたＴＶセット４Ａ〜４Ｄなどの電子機器の遠隔操作装置であるリモートコマンダ（以下、リモコンという。）からのリモコン信号に基づいて、入室、退室の検出および登録を行うようにし、これに基づき、ハードディスク装置を用いたタイムシフト視聴やＤＶＤプレーヤなどの再生装置からの再生データの移動先への転送を実現するようにしたものである。
【０２５４】
図１８は、この第３の実施の形態のホームネットワークシステムの構成例を説明するための図である。この図１８示す第３の実施の形態のホームネットワークシステムにおいて、図１から図１２を用いて上述した第１の実施の形態のホームネットワークシステムと同様に構成される部分には同じ参照符号を付し、その詳細な説明は省略する。
【０２５５】
図１８に示すように、この第３の実施の形態のホームネットワークシステムは、部屋Ａには、制御装置本体部２、ハードディスク装置３、ＴＶセット４Ａ、ルータ５、ＡＤＳＬモデム６が設けられ、その他の各部屋Ｂ、Ｃ、Ｄには、ＴＶセット４Ｂ、４Ｃ、４Ｄが設けられている。
【０２５６】
そして、部屋Ａに設けられた制御装置本体部２、ハードディスク装置３、ＴＶセット４Ａ、ＡＤＳＬモデム６と、その他の部屋Ｂ、Ｃ、Ｄに設けられたＴＶセット４Ｂ、４Ｃ、４Ｄとは、ルータ５を通じて相互に接続され、制御データや映像データや音声データなどのコンテンツデータなどを送受することができるようにしている。
【０２５７】
しかし、図１８に示したように、この第３の実施の形態のホームネットワークシステムにおいては、玄関部分の外側に制御装置本体部２に接続された送受信部２１Ｅを備えるものの、各部屋には、制御装置本体部２に接続された送受信部は設けられていない。
【０２５８】
つまり、帰宅時においては、家族の各人に配布される電子鍵カード１を用いて、認証チェックを受け、認証が取れた場合にドアロックを解除して屋内に入ることが許可するようにされる部分は、前述した第１、第２の実施の形態のホームネットワークシステムと同様である。しかし、各部屋への入室、退室の登録は、例えば各部屋に設置されたＴＶセット４Ａ、４Ｂ、４Ｃ、４Ｄの遠隔操作装置であるリモートコマンダ（以下、リモコンという。）４１Ａ、４１Ｂ、４１Ｃ、４１Ｄを通じて行うようにしている。
【０２５９】
［リモコン４１の構成例について］
図１９、図２０は、この第３の実施の形態において各部屋に設置されるＴＶセット４Ａ、４Ｂ、４Ｃ、４Ｄのリモコン４１Ａ、４１Ｂ、４１Ｃ、４１Ｄを説明するための図である。リモコン４１Ａ、４１Ｂ、４１Ｃ、４１Ｄのそれぞれは、ほぼ同様に構成されるものであるので、以下においては、リモコン４１Ａ、４１Ｂ、４１Ｃ、４１Ｄのそれぞれをリモコン４１として説明する。
【０２６０】
図１９は、この実施の形態の各部屋に設置されるＴＶセット４のリモコン４１の外観を説明するための図である。図１９に示すように、この第３の実施の形態のＴＶセット４のリモコン４１は、そのフロントパネル面に種々の情報を表示するためのＬＣＤ４１０６と、使用者からの指示入力を受け付ける数字キーやファンクションキーなどの複数の操作キーからなる操作キー群４１０８が設けられている。
【０２６１】
そして、この第３の実施の形態においては、図１９に示すように、各人の電子カードが装填される電子鍵カード用スロットが、リモコン４１の右側面に開口部を有するように設けられている。このスロット内部には、これに装填された電子鍵カード１と対向するように、電子鍵カード用リード／ライト部４１１０が設けられ、スロットに装填された電子鍵カードからのデータの読み出し、当該電子鍵カードへのデータの書き込みを行うことができるようにしている。
【０２６２】
図１８は、リモコン４１の構成を説明するためのブロック図である。図２０に示すように、リモコン４１は、ＣＰＵ４１０１、ＲＯＭ４１０２、ＲＡＭ４１０３がＣＰＵバス４１０４を通じて接続され、マイクロコンピュータの構成とされた制御部４１００を備えている。
【０２６３】
さらに、ＣＰＵバス４１０４には、ＬＣＤコントローラ４１０５、Ｉ／Ｆ４１０７、４１０９、４１１１が接続されている。ＬＣＤコントローラ４１０５には、ＬＣＤ４１０６が接続されており、制御部４１００により制御されるＬＣＤコントローラ４１０５の制御により、ＬＣＤ４１０６に操作状態や各種のガイダンスなどの情報を表示することができるようにしている。
【０２６４】
また、Ｉ／Ｆ４１０７には、キー操作部４１０８が、Ｉ／Ｆ４１０９には、電子鍵カード用リード／ライト部４１１０が、Ｉ／Ｆ４１１１には、リモコン信号送信部４１１２がそれぞれ接続されている。
【０２６５】
そして、キー操作部４１０８を通じて入力された使用者からの操作指示入力は、Ｉ／Ｆ４１０７を通じて制御部４１００に供給される。制御部４１００は、使用者からの指示入力に応じて、インターフェイス４１１１を通じてリモコン信号送信部４１１２を制御し、使用者の指示入力に応じた赤外線のリモコン信号をリモコン信号送信部４１１２から送信することができるようにしている。
【０２６６】
そして、リモコン４１の制御部４１００は、上述もしたように、電子鍵カード用リード／ライト部４１１０を通じて、リモコン４１のスロットに装填された電子鍵カード１から個人ＩＤなどの必要な情報を読み出し、これをＴＶセット４に対して送信するリモコン信号に含めて送信するようにしている。
【０２６７】
このように、この第３の実施の形態で用いられるＴＶセット４のリモコン４１は、使用者からの指示入力に応じたリモコン信号を形成して送出することができるとともに、送出するリモコン信号には、当該リモコン４１に装填された電子鍵カード１から読み出された個人ＩＤなどの情報を含めて送信することができるものである。
【０２６８】
［リモコン信号を受信するＴＶセット４の動作について］
そして、上述のように、個人ＩＤなどの情報が含められたリモコン信号を受信するＴＶセット４は、受信したリモコン信号に応じて自機の各部を制御し、リモコン信号を通じて提供される使用者からの指示に応じて、選局チャンネルの変更や、音量の調整などの種々の動作を行うようにすることができる。
【０２６９】
さらに、ＴＶセット４の制御部４２０は、リモコン信号を受信したときには、送信先ＩＤ（制御装置本体部２の装置ＩＤ）と自機の識別ＩＤと装填された電子鍵カードから読み出した個人ＩＤとキー操作部４１０８を通じて受け付けた指示内容とからなる通知データを形成し、これをデジタルインターフェイス４１２とデジタル入力／出力端子４１１を通じて制御装置本体部２に送信する。
【０２７０】
ＴＶセット４からの通知データは、ルータ５を通じて制御装置本体部２に供給されることになる。これにより、制御装置本体部２は、どの部屋のＴＶセットに対して、誰が、どのような操作指示を与えたかを迅速かつ正確に把握することができるようにされる。
【０２７１】
したがって、リモコン４１を通じてＴＶセット４の電源が投入された場合やチャンネル変更、音量調整などが行われた場合には、リモコン信号に含められた個人ＩＤにより、操作者が特定でき、その操作者が操作するようにしたＴＶセットが設置されている部屋に在室していることが確認できる。
【０２７２】
そして、リモコン信号に含められた個人ＩＤを含む通知データがＴＶセット４から送信されてくる毎に、制御装置本体部２においては、図６を用いて説明した在室管理情報を参照し、在室登録されていない個人ＩＤが送信されて来たときには、在室登録を行うようにする。
【０２７３】
なお、この第３の実施の形態においては、在室登録を行うときに、他の部屋に既に在室登録されているときには、その先の在室登録を取り消すことにより退室登録をも同時に処理することができ、適正に使用者の在室管理を行うことができるようにされる。
【０２７４】
［第３の実施の形態における放送番組のタイムシフト視聴について］
そして、この第３の実施の形態のホームネットワークシステムにおいても、図１２に示した第１の実施の形態のタイムシフト視聴の場合と同じように、タイムシフト視聴を行うようにすることができる。
【０２７５】
具体的には、この第３の実施の形態のホームネットワークシステムにおいては、ステップＳ２０５において行われる使用者の移動の発生を検出したか否かの判断は、再生一時停止キーなどの予め決められた操作キーが押下されたことを示すリモコン信号を受信したか否かに応じて検出することができる。
【０２７６】
また、ステップＳ２０８において行われる再生一時停止を指示した使用者の移動先を検出したか否かの判断は、再生一時停止が指示された同じ部屋において、当該使用者の個人ＩＤを含む再生一時停止を解除するための所定のキー操作に応じたリモコン信号が送出され、これを示す通知データがその部屋のＴＶセット４から制御装置本体部２に送信されて来て、これを制御装置本体部２が取り込んだ場合に当該使用者の移動先を検出したと判断することができる。
【０２７７】
また、再生一時停止が指示された部屋とは異なる部屋において、当該使用者の個人ＩＤを含む、ＴＶセット４の電源投入やチャンネル変更のためのキー操作に応じたリモコン信号が送出され、これを示す通知データがその部屋のＴＶセット４から制御装置本体部２に送信されて来て、これを制御装置本体部２が取り込んだ場合に当該使用者の移動先を検出したと判断することができる。
【０２７８】
つまり、ルータ５と、各部屋に設置されるＴＶセット４Ａ、４Ｂ、４Ｃ、４Ｄと、それらに対するリモコン４１Ａ、４１Ｂ、４１Ｃ、４１Ｄを通じて、リモコン４１Ａ、４１Ｂ、４１Ｃ、４１Ｄの操作者となる電子鍵カード１の所有者の個人ＩＤを制御装置本体部２に送信することにより、在室管理情報を適正に管理し、使用者の移動の発生と、移動先とを適正に検出して、部屋を変えない場合（元の部屋に戻ってくる場合）と、部屋を変える場合（異なる部屋に移動した場合）との両方において、放送番組のいわゆるタイムシフト視聴を行うようにすることができる。
【０２７９】
また、図１８に示したハードディスク装置３をＤＶＤプレーヤ７に変えることにより、図１３〜図１７を用いて上述した第２の実施の形態のホームネットワークシステムの場合と同様に、ＤＶＤプレーヤ７からの再生データを使用者の移動先に転送するようにすることができる。
【０２８０】
この場合においても、図１５、図１６、図１７に示したフローチャートのステップＳ３０３、ステップＳ４０３、ステップＳ５０３において行われる使用者の移動の発生を検出したか否かの判断は、再生一時停止キーなどの予め決められた操作キーが押下されたことを示すリモコン信号を受信したか否かに応じて検出することができる。
【０２８１】
また、図１５、図１６、図１７に示したフローチャートのステップＳ３０５、ステップＳ４０５、ステップＳ５０５において行われる移動した使用者の移動先を検出したか否かの判断は、例えば、再生一時停止が指示された同じ部屋においては、当該使用者の個人ＩＤを含む再生一時停止を解除するための所定のキー操作に応じたリモコン信号が送出され、これを示す通知データ（送信先の装置ＩＤ、送信元の装置ＩＤ、個人ＩＤからなるデータ）がその部屋のＴＶセットから制御装置本体部２に送信されて来た場合に当該使用者の移動先を検出することができる。
【０２８２】
また、再生一時停止が指示された部屋とは異なる部屋においては、当該使用者の個人ＩＤを含む、ＴＶセット４の電源投入やチャンネル変更のためのキー操作に応じたリモコン信号が送出され、これを示す通知データ（送信先の装置ＩＤ、送信元の装置ＩＤ、個人ＩＤからなるデータ）がその部屋のＴＶセットから制御装置本体部２に送信されて来た場合に当該使用者の移動先を検出することができる。
【０２８３】
つまり、ルータ５と、各部屋に設置されるＴＶセット４Ａ、４Ｂ、４Ｃ、４Ｄと、それらに対するリモコン４１Ａ、４１Ｂ、４１Ｃ、４１Ｄを通じて、リモコン４１Ａ、４１Ｂ、４１Ｃ、４１Ｄの操作者となる電子鍵カード１の所有者の個人ＩＤとＴＶセットの装置ＩＤとを制御装置本体部２に送信することにより、在室管理情報を適正に管理し、使用者の移動の発生と、移動先とを適正に検出して、部屋を変えない場合（元の部屋に戻ってくる場合）と、部屋を変える場合（異なる部屋に移動した場合）との両方において、ＤＶＤプレーヤ７からの再生データを移動先に転送するようにすることができる。
【０２８４】
また、ハードディスク装置３とＤＶＤプレーヤ７の両方を備えている場合には、コンテンツの再生元に応じて、その両方に対応し、タイムシフト視聴や再生データの転送を行うようにすることができる。もちろん、ハードディスク装置やＤＶＤプレーヤを用いる場合に限られるものではなく、各種の記録再生装置や再生装置を用いる場合にもこの発明を適用することができる。
【０２８５】
また、上述の第３の実施の形態においては、各部屋に設置されるＴＶセット４Ａ、４Ｂ、４Ｃ、４Ｄのリモコン４１Ａ、４１Ｂ、４１Ｃ、４１Ｄを通じて、操作者の個人ＩＤなどの情報を制御装置本体部２に通知するようにしたが、これに限るものではない。ハードディスク装置３、ＤＶＤプレーヤ７、制御装置本体部２のリモコンにも電子鍵カードのスロットを設け、個人ＩＤなどの情報を読み出して、これをリモコン信号に含めて送信し、このリモコン信号の受信元の機器から個人ＩＤや操作入力に応じたコマンドを含む通知情報を制御装置本体部２に送信し、タイムシフト視聴や再生データの転送を行うようにしてもよい。
【０２８６】
また、各部屋で用いられる電子機器のリモコンを用いて、入室や退室の検出および登録を行う場合には、例えば、リモコンに電子鍵カード１が装填されたときには、必ず個人ＩＤを含むリモコン信号の入室登録要求を送出するようにし、また、リモコンから電子鍵カード１が抜き取られたときには、必ず個人ＩＤを含むリモコン信号の退室登録要求を送出するようにして、入室と退室の登録管理を行うようにしてもよい。
【０２８７】
また、リモコンには電子鍵カードを装填することなく、例えば、家族の各自がリモコンを使う場合に、自分の個人ＩＤ等の識別情報をキー操作部を通じて入力し、これをリモコン内のメモリに一時記憶して用いるようにすることもできる。
【０２８８】
［入室、退室の検出および登録の他の手段］
上述した第１、第２の実施の形態においては、使用者の入室、退室の検出は、送受信部のリード／ライト部が電磁誘導の作用より電子鍵カードから情報を読み出すことによって行うようにし、上述した第３の実施の形態においては、電子機器のリモコンからのリモコン信号に個人ＩＤを含めて送信し、ＴＶセットなどの電子機器を制御装置本体部２に送信することにより行うようにした。しかし、これらに限るものではない。
【０２８９】
図１、図２に示したような構成のホームネットワークを例にした場合には、例えば、ＢｌｕｅＴｏｏｔｈなどの近距離無線通信技術を用い、電子鍵カード１と送受信部２１Ａ〜２１Ｅとに無線通信部（無線送信部、無線受信部）を搭載する。そして、電子鍵カード１を送受信部２１Ａ〜２１Ｅにかざすなどの動作を行うようにしなくても、例えば、部屋に在室している間は、所定のタイミングで電子鍵カード１から個人ＩＤを送信し、入室した部屋の送受信部２１Ａ〜２１Ｄとの間で通信を行い、入室、退室の検出を行うようにすることもできる。
【０２９０】
この場合には、隣接する部屋の送受信部との間で電子鍵カードが通信を行うことが無いように、非常に微弱な電波を用いたり、各部屋からは種々の電波が漏れることが無いようにしたりするなどの方策を講じることにより、使用者は何の動作をも起こすことなく、入室、退室の登録を行って、放送番組のタイムシフト視聴や、再生コンテンツの移動先への転送を行うことができるようにされる。
【０２９１】
また、この場合には、必ずしも送受信部を各部屋の出入口部分に設ける必要は無く、例えば、各部屋の天井部分など、入室してきた使用者が所持する電子鍵カードとの間で良好に無線通信を行うことが可能な位置に送受信部を設けるようにすればよい。
【０２９２】
なお、第１、第２の実施の形態においては、制御装置本体部２に接続された送受信部を通じて使用者の移動の発生と移動先の検出を行うようにし、また、第３の実施の形態においては、ＴＶセット４のリモコン４１からの個人ＩＤに基づいて、使用者の移動の発生と移動先の検出を行うようにした。
【０２９３】
このように、必ずいずれか一方を用いるというのではなく、その両方を１つのホームネットワークシステムに取り込み、制御装置本体部２に接続された送受信部を通じても、また、各部屋に設置されるＴＶセット４などの電子機器のリモコンからのリモコン信号を通じても、使用者の移動の発生と移動先の検出とを行うようにしてもよい。もちろん、上述した近距離無線通信技術を用いた無線通信により、使用者の移動の発生と移動先の検出とを行うようにしてもよい。
【０２９４】
また、前述した実施の形態においては、テレビ放送番組や映画などのＤＶＤコンテンツなど、映像と音声とが伴うコンテンツを利用する場合を例にして説明したが、利用可能なコンテンツは、必ず映像と音声とが伴うものに限るものではない。映像と音声のいずれか一方だけの利用ももちろん可能である。
【０２９５】
また、上述した実施の形態においては、各部屋にＴＶセットを設置する場合を例に説明したが、これに限るものではなく、例えば、パーソナルコンピュータを各部屋に設置し、ルータ５、ＡＤＳＬモデム６を通じてインターネットに接続し、電子メールの送受信や、各種のコンテンツのダウンロードと実行などを行うようにすることも可能である。
【０２９６】
また、各部屋にテレビ放送の受信機能を備えたパーソナルコンピュータを設置し、パーソナルコンピュータに搭載されたハードディスク装置を用いて、どの部屋においても、いわゆるタイムシフト視聴をできるようにし、どの部屋において受信選局され再生するようにされている放送信号であっても、上述した発明を用いることによって、どの部屋で視聴していた放送信号であっても、どの部屋に移動しても、タイムシフト視聴できるようにすることが可能である。
【０２９７】
また、前述した実施の形態においては、タイムシフト視聴を行うようにする場合には、初めから放送信号をハードディスク装置に記録し、記録した放送信号を再生する場合を例にして説明した。しかし、これに限るものではない。例えば、中座するなどために、リモコンのタイムシフトキーを押下操作し、これに応じたリモコン信号を受信した時点から放送信号をハードディスクに記録するようにする。
【０２９８】
そして、中座した当該使用者が戻ってきて、再度タイムシフトキーを押下操作し、これに応じたリモコン信号を受信したときには、放送信号の記録はそのまま続行するとともに、直前の記録開始時点からハードディスクに記録された放送信号を読み出して再生することによっても、タイムシフト視聴を実現することができる。
【０２９９】
この場合においても、読み出した放送信号の転送先は、移動先の電子機器とすることにより、部屋を変えてのタイムシフト視聴にも、初めから放送信号を記録することなく対応することが可能である。
【０３００】
また、前述の実施の形態においては、玄関部分に設けられた送受信部２１Ｅに電子鍵カードをかざした場合に認証を行い、認証が取れた場合に、ドアロックを解除するとともに、在宅／外出フラグの更新を行うようにした。しかしこれに限るものではない。
【０３０１】
例えば、玄関部分の送受信部２１Ｅに電子鍵カードをかざした場合に認証を行い、認証が取れた場合には、ドアロックを解除し、この後、いずれかの部屋の送受信部２１Ａ〜２１Ｄに電子鍵カードがかざされて個人ＩＤによりその個人が認識された場合に、在宅者有りと判断して、在宅／外出フラグの更新を行うようにしてもよい。すなわち、最低でも２回のチェックを経た後に、在宅者と認識するようにしてもよい。
【０３０２】
【発明の効果】
以上説明したように、この発明によれば、所定の家屋内において、使用者の在室状況を管理し、使用者の移動の発生と移動先とを正確に検出して、利用しているコンテンツを移動先においても自動的に利用できるようにすることができる。つまり、部屋を変えてのタイムシフト視聴や再生データの転送などの処理を複雑な手間をかけることなくほぼ自動的に行えるようにすることができ、コンテンツの再生情報、例えば映像や音声を使用者の移動に追従するようにすることができる。
【図面の簡単な説明】
【図１】この発明による電子機器制御装置、電子機器制御方法の一実施の形態が適用されたホームネットワークシステムについて説明するための図である。
【図２】図１に示したホームネットワークシステムの実際の構築例を説明するための図である。
【図３】図１、図２に示したホームネットワークシステムにおいて用いられる電子鍵カード（ＩＣカード）１を説明するための図である。
【図４】図１、図２に示したホームネットワークシステムにおいて用いられる制御装置本体部２を説明するための図である。
【図５】図４に示した制御装置本体部２のＥＥＰＲＯＭなどに形成され管理される使用者個人情報について説明するための図である。
【図６】図４に示した制御装置本体部２のＥＥＰＲＯＭなどに形成され管理される在室管理情報について説明するための図である。
【図７】図１、図２に示したホームネットワークシステムにおいて用いられる制御装置本体部２に接続される送受信部の外観を説明するための図である。
【図８】図１、図２に示したホームネットワークシステムにおいて用いられる制御装置本体部２に接続される送受信部の構成を説明するための図である。
【図９】図１、図２に示したホームネットワークシステムにおいて用いられるハードディスク装置３を説明するための図である。
【図１０】図１、図２に示したホームネットワークシステムにおいて用いられるＴＶセット４を説明するための図である。
【図１１】図１、図２に示したホームネットワークシステムにおいて、帰宅時に家族を認証して、ドアロック機構を制御する場合の処理を説明するためのフローチャートである。
【図１２】図１、図２に示したホームネットワークシステムにおいて、いわゆるタイムシフト視聴を行うようにする場合の処理を説明するためのフローチャートである。
【図１３】この発明による電子機器制御装置、電子機器制御方法の一実施の形態が適用されたホームネットワークシステムの他の例について説明するための図である。
【図１４】図１３に示したホームネットワークシステムにおいて用いられるＤＶＤプレーヤ７を説明するための図である。
【図１５】図１３に示したホームネットワークシステムにおいて、再生データの転送を行うようにする場合の処理を説明するためのフローチャートである。
【図１６】図１３に示したホームネットワークシステムにおいて、再生データの転送を行うようにする場合の処理の他の例を説明するためのフローチャートである。
【図１７】図１３に示したホームネットワークシステムにおいて、再生データの転送を行うようにする場合の処理の他の例を説明するためのフローチャートである。
【図１８】この発明による電子機器制御装置、電子機器制御方法の一実施の形態が適用されたホームネットワークシステムの他の例について説明するための図である。
【図１９】図１８に示したホームネットワークシステムにおいて用いられるＴＶセット４のリモコン４１の外観を説明するための図である。
【図２０】図１８に示したホームネットワークシステムにおいて用いられるＴＶセット４のリモコン４１の構成を説明するための図である。
【符号の説明】
１…電子鍵カード（ＩＣカード）、２…制御装置本体部、２１Ａ〜２１Ｅ…送受信部、３…ハードディスク装置、４Ａ、４Ｂ、４Ｃ、４Ｄ…ＴＶセット等、５…ルータ、６…ＡＤＳＬモデム、７…ＤＶＤプレーヤ、４１Ａ、４１Ｂ、４１Ｃ、４１Ｄ…リモコン
【図１】
2004080382.tif 000003
【図２】
2004080382.tif 000004
【図３】
2004080382.tif 000005
【図４】
2004080382.tif 000006
【図５】
2004080382.tif 000007
【図６】
2004080382.tif 000008
【図７】
2004080382.tif 000009
【図８】
2004080382.tif 000010
【図９】
2004080382.tif 000011
【図１０】
2004080382.tif 000012
【図１１】
2004080382.tif 000013
【図１２】
2004080382.tif 000014
【図１３】
2004080382.tif 000015
【図１４】
2004080382.tif 000016
【図１５】
2004080382.tif 000017
【図１６】
2004080382.tif 000018
【図１７】
2004080382.tif 000019
【図１８】
2004080382.tif 000020
【図１９】
2004080382.tif 000021
【図２０】
2004080382.tif 000022